(57)【要約】  本開示は、使用時に、着用者の下腹部に温感を覚えさせることができるとともに、着用者の下腹部に痒みを覚えさせにくい吸収性物品を提供することを目的とする。上記吸収性物品は、以下の構成を有する。  吸収本体（３）と、着用者の下腹部に当接するように構成された温感本体（５）とを備える吸収性物品（１）であって、吸収性物品（１）が、構成（ａ）又は構成（ｂ）：（ａ）温感本体（５）が温感付与シート（１３）を備えており、温感本体（５）の温感付与シート（１３）と、厚さ方向（Ｔ）に重複する温感付与シート重複部分（２５）の剛軟度が、吸収本体（３）の吸収体（１１）と、厚さ方向（Ｔ）に重複する吸収体重複部分（２７）の剛軟度よりも低い、（ｂ）温感本体（５）が、第１温感剤を保持し、吸収本体（３）が、第２温感剤を保持している、を備えていることを特徴とする吸収性物品１。
2020004669.tif 000002
【特許請求の範囲】
【請求項１】
長手方向、幅方向及び厚さ方向を有し、液透過性シート、液不透過性シート、及びそれらの間に配置された吸収体を備えている吸収本体と、着用者の下腹部に当接するように構成された温感本体とを備える吸収性物品であって、
前記吸収性物品が、以下の構成（ａ）又は構成（ｂ）：
（ａ）前記温感本体が温感付与シートを備えており、前記温感本体の前記温感付与シートと、前記厚さ方向に重複する温感付与シート重複部分の剛軟度が、前記吸収本体の前記吸収体と、前記厚さ方向に重複する吸収体重複部分の剛軟度よりも低い、
（ｂ）前記温感本体が、第１温感剤を保持し、前記吸収本体が、第２温感剤を保持している、
を備えていることを特徴とする、前記吸収性物品。
【請求項２】
前記吸収性物品が構成（ａ）を備えており、前記温感付与シートの厚さが、前記吸収体の厚さよりも薄い、請求項１に記載の吸収性物品。
【請求項３】
前記吸収性物品が構成（ａ）を備えており、前記温感付与シートが、温感剤をさらに保持している、請求項１又は２に記載の吸収性物品。
【請求項４】
前記吸収性物品が構成（ａ）を備えており、前記温感本体が、前記温感付与シートと、前記厚さ方向に重複する温感本体中央部と、前記温感付与シートと、前記厚さ方向に重複しない温感本体周縁部とに区画され、前記温感本体周縁部の剛性が、前記温感本体中央部の剛性よりも低い、請求項１〜３のいずれか一項に記載の吸収性物品。
【請求項５】
前記吸収性物品が構成（ａ）を備えており、前記温感本体が、前記温感付与シートと、前記厚さ方向に重複する温感本体中央部と、前記温感付与シートと、前記厚さ方向に重複しない温感本体周縁部とに区画され、前記温感本体周縁部が、前記液透過性シート及び前記液不透過性シートに、前記温感本体周縁部に沿って間欠的に配置されたエンボス部を備えている、請求項１〜４のいずれか一項に記載の吸収性物品。
【請求項６】
前記吸収性物品が構成（ａ）を備えており、前記吸収本体が、温感剤を保持している、請求項３に記載の吸収性物品。
【請求項７】
前記吸収性物品が構成（ａ）を備えており、前記吸収本体が、排泄口当接域を備え、前記吸収本体が、前記温感剤を、前記排泄口当接域の、前記幅方向の外側に保持している、請求項６に記載の吸収性物品。
【請求項８】
前記吸収性物品が構成（ａ）を備えており、前記吸収本体が、前記温感剤を、前記吸収体に保持している、請求項７に記載の吸収性物品。
【請求項９】
前記吸収性物品が構成（ａ）を備えており、前記吸収本体が、前記温感剤を、前記液透過性シート及び不透過性シートの間に保持している、請求項７又は８に記載の吸収性物品。
【請求項１０】
前記吸収性物品が構成（ａ）を備えており、前記温感本体が保持している温感剤の坪量が、前記吸収本体が保持している温感剤の坪量よりも少ないか、又は多い、請求項６〜９のいずれか一項に記載の吸収性物品。
【請求項１１】
前記吸収性物品が構成（ｂ）を備えており、前記吸収本体が、排泄口当接域を備え、前記吸収本体が、第２温感剤を、前記排泄口当接域の、前記幅方向の外側に保持している、請求項１に記載の吸収性物品。
【請求項１２】
前記吸収性物品が構成（ｂ）を備えており、前記吸収本体が、第２温感剤を、前記吸収体に保持している、請求項１１に記載の吸収性物品。
【請求項１３】
前記吸収性物品が構成（ｂ）を備えており、前記吸収本体が、第２温感剤を、前記液透過性シート及び不透過性シートの間に保持している、請求項１１又は１２に記載の吸収性物品。
【請求項１４】
前記吸収性物品が構成（ｂ）を備えており、前記温感本体が、前記液透過性シートと、前記液不透過性シートと、前記液透過性シート及び液不透過性シートの間に配置された補助シートを備えており、前記温感本体が、前記補助シートに、第１温感剤を保持している、請求項１及び１１〜１３のいずれか一項に記載の吸収性物品。
【請求項１５】
前記吸収性物品が構成（ｂ）を備えており、前記温感本体が保持している第１温感剤の坪量が、前記吸収本体が保持している第２温感剤の坪量よりも少ないか、又は多い、請求項１及び１１〜１４のいずれか一項に記載の吸収性物品。
【請求項１６】
前記液透過性シートが、発熱性素材、断熱性素材及び吸湿性素材、並びにそれらの任意の組み合わせからなる群から選択される素材を含む、請求項１〜１５のいずれか一項に記載の吸収性物品。
【発明の詳細な説明】
【技術分野】
【０００１】
本開示は、吸収性物品に関する。
【背景技術】
【０００２】
温感剤等の機能剤を含む吸収性物品が知られている。
例えば、特許文献１には、機能層と粘着層とを備える機能性物品において、機能層の効果を維持しつつ、機能性物品を取り外すとき、着用者の肌面又は下着に粘着層が残存することを抑制することを目的とした機能性物品、例えば、吸収性物品が記載されている。
特許文献１に記載の機能性物品は、以下の構成を有する。【０００３】
肌当接面及び前記肌当接面と反対側の非肌当接面を有する基材と、前記基材の前記肌当接面又は前記非肌当接面に形成された粘着層と、を備える機能性物品であって、前記機能性物品は、前記基材における前記非肌当接面よりも前記肌当接面側に、前記肌当接面に沿って所定の機能を有する機能層を備え、前記機能層は、親油性成分を含む機能剤を有し、前記機能層における少なくとも一部が、前記粘着層と、前記機能性物品の厚さ方向に重複せず、前記粘着層における少なくとも一部が、前記機能層と、前記機能性物品の厚さ方向に重複しない位置に、前記機能層及び前記粘着層が形成されている機能性物品。
【先行技術文献】
【特許文献】
【０００４】
【特許文献１】実用新案登録第３２１３４９４号公報
【発明の概要】
【発明が解決しようとする課題】
【０００５】
特許文献１に記載の機能性物品、具体的には吸収性物品では、上記機能層が、着用者の下腹部に温感を付与することができるが、上記機能層が、着用者の下腹部に固さを覚えさせ、着用者が違和感を覚えやすく、その結果、着用者が下腹部に痒みを覚えやすくなる場合がある。【０００６】
また、特許文献１に記載の機能性物品、具体的には吸収性物品では、上記機能層が、着用者の下腹部に温感を付与することができるものであり、人の下腹部に温感を付与することにより、種々の効果、例えば、生理痛の緩和、月経前症候群（Ｐｒｅｍｅｎｓｔｒｕａｌ  Ｓｙｎｄｒｏｍｅ）、冷え性、更年期障害等の軽減等が期待される。
その一方で、本願発明者は、温感剤を用いて、着用者の下腹部に温感を付与すると、下腹部の皮膚のバリア層、脂肪層等が厚いことに起因して、温感剤が皮膚内に浸透しにくくなり、その結果、温感剤による温感作用の立ち上がりが遅くなり、着用者が、下腹部に痒みを覚えやすくなることを見いだした。【０００７】
従って、本開示は、使用時に、着用者の下腹部に温感を覚えさせることができるとともに、着用者の下腹部に痒みを覚えさせにくい吸収性物品を提供することを目的とする。
【課題を解決するための手段】
【０００８】
本開示者らは、長手方向、幅方向及び厚さ方向を有し、液透過性シート、液不透過性シート、及びそれらの間に配置された吸収体を備えている吸収本体と、着用者の下腹部に当接するように構成された温感本体とを備える吸収性物品であって、上記吸収性物品が、以下の構成（ａ）又は構成（ｂ）：（ａ）上記温感本体が温感付与シートを備えており、上記温感本体の上記温感付与シートと、上記厚さ方向に重複する温感付与シート重複部分の剛軟度が、上記吸収本体の上記吸収体と、上記厚さ方向に重複する吸収体重複部分の剛軟度よりも低い、（ｂ）上記温感本体が、第１温感剤を保持し、上記吸収本体が、第２温感剤を保持している、を備えていることを特徴とする、吸収性物品を見出した。
【発明の効果】
【０００９】
本開示の吸収性物品は、使用時に、着用者の下腹部に温感を覚えさせることができるとともに、着用者の下腹部に痒みを覚えさせにくい。
【図面の簡単な説明】
【００１０】
【図１】図１は、第１実施形態及び第５実施形態に従う生理用ナプキン１の平面図である。
【図２】図２は、生理用ナプキン１の分解斜視図である。
【図３】図３は、温感本体５に配置された第１温感組成物１７と、吸収本体３に配置された第２温感組成物１９とを説明するための図である。
【図４】図４は、生理用ナプキン１の着用状態を示す図である。
【図５】図５は、第２実施形態に従うショーツ型生理用ナプキン２０１を説明するための図である。
【図６】図６は、第３実施形態に従う使い捨ておむつ３０１を説明するための図である。
【図７】図７は、第４実施形態に従う生理用ナプキン１を説明するための図である。
【図８】図８は、第６実施形態に従うショーツ型生理用ナプキン２０１を説明するための図である。
【発明を実施するための形態】
【００１１】
［定義］
＜構成（ａ）＞
・「吸収本体」及び「温感本体」
本明細書において、「吸収本体」及び「温感本体」は、吸収性物品の区画で有り、吸収性物品が、長手方向において、吸収体と重複する領域を「吸収本体」と称し、そして吸収性物品の、吸収本体よりも前方の領域を「温感本体」と称する。
なお、上記吸収性物品は、展開状態におけるものを意味する。例えば、個包装の生理用ナプキンの場合には、展開状態における生理用ナプキンは、折り畳まれていない状態における生理用ナプキンを意味し、そして例えば、パンツ型の使い捨ておむつの場合には、展開状態におけるパンツ型の使い捨ておむつは、両側部の接合部を破断し、平面状にしたパンツ型の使い捨ておむつを意味する。
【００１２】
・「温感剤」
本明細書において、「温感剤」における『温感』の用語は、着用者の皮膚に温かさを感じさせることを意味し、「温感剤」は、着用者の皮膚に温かさを感じさせる薬剤、好ましくは着用者のＴＲＰチャネルを活性化する薬剤を意味する。
・「温感本体」及び「温感付与シート」
本明細書において、「温感本体」及び「温感付与シート」における『温感』の用語は、「温感剤」におけるものと同様に、着用者の皮膚に温かさを感じさせることを意味し、（ｉ）着用者の皮膚に温かさを感じさせる温感剤、（ｉｉ）着用者の体温を保持することにより、着用者の皮膚に温かさを感じさせるもの、例えば、保温性シート、（ｉｉｉ）熱を供給し、着用者の皮膚に温かさを感じさせるもの、例えば、発熱体等を含みうる。
【００１３】
＜構成（ｂ）＞
・「吸収本体」及び「温感本体」
本明細書において、「吸収本体」及び「温感本体」は、吸収性物品の区画で有り、吸収性物品が、長手方向において、吸収体と重複する領域を「吸収本体」と称し、そして吸収性物品の、吸収本体よりも前方の領域を「温感本体」と称する。
なお、上記吸収性物品は、展開状態におけるものを意味する。例えば、個包装の生理用ナプキンの場合には、展開状態における生理用ナプキンは、折り畳まれていない状態における生理用ナプキンを意味し、そして例えば、パンツ型の使い捨ておむつの場合には、展開状態におけるパンツ型の使い捨ておむつは、両側部の接合部を破断し、平面状にしたパンツ型の使い捨ておむつを意味する。
【００１４】
具体的には、本開示は以下の態様に関する。
［態様１］
長手方向、幅方向及び厚さ方向を有し、液透過性シート、液不透過性シート、及びそれらの間に配置された吸収体を備えている吸収本体と、着用者の下腹部に当接するように構成された温感本体とを備える吸収性物品であって、
上記吸収性物品が、以下の構成（ａ）又は構成（ｂ）：
（ａ）上記温感本体が温感付与シートを備えており、上記温感本体の上記温感付与シートと、上記厚さ方向に重複する温感付与シート重複部分の剛軟度が、上記吸収本体の上記吸収体と、上記厚さ方向に重複する吸収体重複部分の剛軟度よりも低い、
（ｂ）上記温感本体が、第１温感剤を保持し、上記吸収本体が、第２温感剤を保持している、
を備えていることを特徴とする、上記吸収性物品。
【００１５】
人の下腹部に温感を付与することにより、種々の効果、例えば、生理痛の緩和、月経前症候群（Ｐｒｅｍｅｎｓｔｒｕａｌ  Ｓｙｎｄｒｏｍｅ）、冷え性、更年期障害等の軽減等が期待される。吸収性物品を用いて、人の下腹部に温感を付与するためには、例えば、吸収性物品の、人の下腹部に相当する部分に、温感付与シートを配置することが考えられる。
【００１６】
一方、人の下腹部には陰毛が存在するため、そして人が呼吸する際に、呼吸に合わせて下腹部が動くため、人の下腹部に相当する部分に、剛性の高い温感付与シートを配置すると、着用者が、吸収性物品を含む着衣の下腹部に相当する部分に硬さを感じやすい傾向がある。それにより、着用者が、吸収性物品を含む着衣の下腹部部分に違和感を覚えるとともに、着用者が、下腹部に痒みを覚えやすくなる。また、着用者が、吸収性物品を含む着衣の下腹部部分に違和感を覚えることにより、着用者が、下腹部を意識する頻度が増え、陰毛と、温感付与シートとの接触等により生じた下腹部の弱い痒みであっても、着用者が気づきやすく、着用者が下腹部に不快感を覚えやすくなる。
【００１７】
上記吸収性物品が構成（ａ）を満たす場合には、温感付与シート重複部分及び吸収体重複部分が所定の剛軟度を有するので、上記吸収性物品は、吸収性物品の使用時に、着用者の下腹部に温感を覚えさせることができるとともに、着用者の下腹部に違和感を覚えさせにくい。その結果、着用者が、下腹部を意識する頻度が少なくなり、陰毛と、温感付与シートとの接触等により下腹部に痒みが生じにくくなるとともに、仮に下腹部に弱い痒みが生じた場合であっても、下腹部の弱い痒みに対して、着用者が不快感を覚えにくくなる。
【００１８】
また、人の下腹部に温感を付与することにより、種々の効果、例えば、生理痛の緩和、月経前症候群（Ｐｒｅｍｅｎｓｔｒｕａｌ  Ｓｙｎｄｒｏｍｅ）、冷え性、更年期障害等の軽減等が期待される。温感剤は、鉄粉等の発熱体と比較して、着用者に低温やけど等の疾患を生じさせにくく好ましい。
【００１９】
本願発明者は、温感剤を含む温感物品（例えば、吸収性物品）は、発熱体（例えば、鉄粉）を含む発熱物品と比較して、低温やけど等の疾患を生じさせにくい点で好ましいが、温感剤を含む温感物品は、所望の温度を感じるまでの時間（温熱感知時間）が、発熱剤（例えば、鉄粉）を含む発熱物品と比較して長くなる傾向にあり、当該温熱感知時間の間に、着用者が痒みを覚えやすいことを見出した。
【００２０】
また、本願発明者は、人の下腹部は、脂肪層が厚く、温感剤が皮膚のＴＲＰチャネルに到達しにくい傾向があり、その結果、上記温熱感知時間が、脂肪層の薄い皮膚と比較して長くなる傾向にあるとともに、人の排泄口は、脂肪層が薄く、温感剤が皮膚のＴＲＰチャネルに到達しやすい傾向があり、そして排泄口近傍に温感を付与することにより、下腹部における温熱感知時間を短くし、着用者が下腹部に痒みを覚えにくいことを見いだした。
【００２１】
上記吸収性物品が構成（ｂ）を満たす場合には、温感本体が、第１温感剤を保持し、吸収本体が、第２温感剤を保持しているため、上記吸収性物品は、吸収性物品の使用時に、着用者の下腹部に温感を覚えさせることができるとともに、着用者の下腹部に痒みを覚えさせにくい。
【００２２】
［態様２］
上記吸収性物品が構成（ａ）を備えており、上記温感付与シートの厚さが、上記吸収体の厚さよりも薄い、態様１に記載の吸収性物品。
【００２３】
上記吸収性物品では、温感付与シートが所定の厚さを有するため、上記吸収性物品は、吸収性物品の使用時に、着用者の下腹部に温感を覚えさせることができるとともに、着用者の下腹部に違和感を覚えさせにくい。
【００２４】
［態様３］
上記吸収性物品が構成（ａ）を備えており、上記温感付与シートが、温感剤をさらに保持している、態様１又は２に記載の吸収性物品。
【００２５】
上記吸収性物品では、温感付与シートが温感剤を保持しているため、吸収性物品の使用時に、着用者の下腹部に温感を確実に覚えさせやすくなる。
【００２６】
［態様４］
上記吸収性物品が構成（ａ）を備えており、上記温感本体が、上記温感付与シートと、上記厚さ方向に重複する温感本体中央部と、上記温感付与シートと、上記厚さ方向に重複しない温感本体周縁部とに区画され、上記温感本体周縁部の剛性が、上記温感本体中央部の剛性よりも低い、態様１〜３のいずれか一項に記載の吸収性物品。
【００２７】
上記吸収性物品では、温感本体周縁部及び温感本体中央部が所定の剛性を有するため、吸収性物品の使用時に、着用者の下腹部に違和感を覚えさせにくい。
【００２８】
［態様５］
上記吸収性物品が構成（ａ）を備えており、上記温感本体が、上記温感付与シートと、上記厚さ方向に重複する温感本体中央部と、上記温感付与シートと、上記厚さ方向に重複しない温感本体周縁部とに区画され、上記温感本体周縁部が、上記液透過性シート及び上記液不透過性シートに、上記温感本体周縁部に沿って間欠的に配置されたエンボス部を備えている、態様１〜４のいずれか一項に記載の吸収性物品。
【００２９】
上記吸収性物品では、温感本体周縁部が所定のエンボス部を備えているため、吸収性物品の使用時に、着用者の下腹部に違和感を覚えさせにくい。
【００３０】
［態様６］
上記吸収性物品が構成（ａ）を備えており、上記吸収本体が、温感剤を保持している、態様３に記載の吸収性物品。
【００３１】
本願発明者は、温感剤を含む温感物品（例えば、吸収性物品）は、発熱体（例えば、鉄粉）を含む発熱物品と比較して、低温やけど等の疾患を生じさせにくい点で好ましいが、温感剤を含む温感物品は、所望の温度を感じるまでの時間（温熱感知時間）が、発熱剤（例えば、鉄粉）を含む発熱物品と比較して長くなる傾向にあり、当該温熱感知時間の間に、着用者が痒みを覚えやすいことを見出した。
【００３２】
また、本願発明者は、人の下腹部は、脂肪層が厚く、温感剤が皮膚のＴＲＰチャネルに到達しにくい傾向があり、その結果、上記温熱感知時間が、脂肪層の薄い皮膚と比較して長くなる傾向にあるとともに、人の排泄口は、脂肪層が薄く、温感剤が皮膚のＴＲＰチャネルに到達しやすい傾向があり、そして排泄口近傍に温感を付与することにより、下腹部における温熱感知時間を短くし、着用者が下腹部に痒みを覚えにくいことを見いだした。
【００３３】
上記吸収性物品では、温感本体と、吸収本体との両方が、温感剤を保持しているため、上記吸収性物品は、吸収性物品の使用時に、着用者の下腹部に温感を覚えさせることができるとともに、着用者の下腹部に痒みを覚えさせにくい。
【００３４】
［態様７］
上記吸収性物品が構成（ａ）を備えており、上記吸収本体が、排泄口当接域を備え、上記吸収本体が、上記温感剤を、上記排泄口当接域の、上記幅方向の外側に保持している、態様６に記載の吸収性物品。
【００３５】
上記吸収性物品では、吸収本体が温感剤を所定の位置に保持しているため、上記吸収性物品は、吸収性物品の使用時に、着用者の下腹部に温感を覚えやすくすることができるとともに、着用者の下腹部に痒みを覚えさせにくい。
【００３６】
［態様８］
上記吸収性物品が構成（ａ）を備えており、上記吸収本体が、上記温感剤を、上記吸収体に保持している、態様７に記載の吸収性物品。
【００３７】
上記吸収性物品では、吸収本体が、温感剤を吸収体に保持しているため、着用時に圧力の加わりやすい吸収体から、着用者に温感剤を浸透させやすくなり、ひいては吸収性物品の使用時に、着用者の下腹部に温感を覚えさせることができるとともに、着用者の下腹部に痒みを覚えさせにくくなる。
【００３８】
［態様９］
上記吸収性物品が構成（ａ）を備えており、上記吸収本体が、上記温感剤を、上記液透過性シート及び不透過性シートの間に保持している、態様７又は８に記載の吸収性物品。
【００３９】
上記吸収性物品では、吸収本体が、第２温感剤を、液透過性シート及び不透過性シートの間に保持しているので、第２温感剤が、吸収体の吸収を阻害しにくくするとともに、吸収体が保持する第２温感剤が着用者に移動した後、液透過性シート及び不透過性シートの間に保持している第２温感剤を吸収体に移動させ、ひいては吸収体から着用者に第２温感剤を移動させやすくなる。その結果、吸収性物品の使用時に、着用者の下腹部に温感を覚えさせることができるとともに、着用者の下腹部に痒みを覚えさせにくくなる。
【００４０】
［態様１０］
上記吸収性物品が構成（ａ）を備えており、上記温感本体が保持している温感剤の坪量が、上記吸収本体が保持している温感剤の坪量よりも少ないか、又は多い、態様６〜９のいずれか一項に記載の吸収性物品。
【００４１】
上記吸収性物品では、温感本体が保持している温感剤の坪量が、吸収本体が保持している温感剤の坪量よりも少ない場合には、吸収性物品の使用時に、着用者の下腹部（特に着用者の吸収本体に接している部分）に温感を覚えやすくすることができるとともに、着用者の下腹部（特に着用者の吸収本体に接している部分）に痒みを覚えさせにくい。
【００４２】
また、上記吸収性物品では、温感本体が保持している温感剤の坪量が、吸収本体が保持している温感剤の坪量よりも多い場合には、吸収性物品の使用時に、着用者の下腹部（特に着用者の吸収本体に接している部分）に痒みを覚えさせにくくしながら、着用者の下腹部（特に着用者の吸収本体に接している部分）に強い温感を覚えやすくすることができるとともに、吸収性物品の吸収性を阻害しにくくなる。
【００４３】
［態様１１］
上記吸収性物品が構成（ｂ）を備えており、上記吸収本体が、排泄口当接域を備え、上記吸収本体が、第２温感剤を、上記排泄口当接域の、上記幅方向の外側に保持している、態様１に記載の吸収性物品。
【００４４】
上記吸収性物品では、吸収本体が第２温感剤を所定の位置に保持しているため、上記吸収性物品は、吸収性物品の使用時に、着用者の下腹部に温感を覚えやすくすることができるとともに、着用者の下腹部に痒みを覚えさせにくい。
【００４５】
［態様１２］
上記吸収性物品が構成（ｂ）を備えており、上記吸収本体が、第２温感剤を、上記吸収体に保持している、態様１１に記載の吸収性物品。
【００４６】
上記吸収性物品では、吸収本体が、第２温感剤を吸収体に保持しているため、着用時に圧力の加わりやすい吸収体から、着用者に第２温感剤を浸透させやすくなり、ひいては吸収性物品の使用時に、着用者の下腹部に温感を覚えさせることができるとともに、着用者の下腹部に痒みを覚えさせにくくなる。
【００４７】
［態様１３］
上記吸収性物品が構成（ｂ）を備えており、上記吸収本体が、第２温感剤を、上記液透過性シート及び不透過性シートの間に保持している、態様１１又は１２に記載の吸収性物品。
【００４８】
上記吸収性物品では、吸収本体が、第２温感剤を、液透過性シート及び不透過性シートの間に保持しているので、第２温感剤が、吸収体の吸収を阻害しにくくするとともに、吸収体が保持する第２温感剤が着用者に移動した後、液透過性シート及び不透過性シートの間に保持している第２温感剤を吸収体に移動させ、ひいては吸収体から着用者に第２温感剤を移動させやすくなる。その結果、吸収性物品の使用時に、着用者の下腹部に温感を覚えさせることができるとともに、着用者の下腹部に痒みを覚えさせにくくなる。
【００４９】
［態様１４］
上記吸収性物品が構成（ｂ）を備えており、上記温感本体が、上記液透過性シートと、上記液不透過性シートと、上記液透過性シート及び液不透過性シートの間に配置された補助シートを備えており、上記温感本体が、上記補助シートに、第１温感剤を保持している、態様１及び１１〜１３のいずれか一項に記載の吸収性物品。
【００５０】
上記吸収性物品では、温感本体が、液透過性シート及び液不透過性シートの間に配置された補助シートに第１温感剤を保持しているため、保管時には、補助シートが保持する第１温感剤が、吸収性物品の他の場所に移動しにくく、そして使用時には、補助シートが保持する第１温感剤を、着用者の皮膚に移動させやすくなる。
【００５１】
［態様１５］
上記吸収性物品が構成（ｂ）を備えており、上記温感本体が保持している第１温感剤の坪量が、上記吸収本体が保持している第２温感剤の坪量よりも少ないか、又は多い、態様１及び１１〜１４のいずれか一項に記載の吸収性物品。
【００５２】
上記吸収性物品では、温感本体が保持している第１温感剤の坪量が、吸収本体が保持している第２温感剤の坪量よりも少ない場合には、吸収性物品の使用時に、着用者の下腹部（特に着用者の吸収本体に接している部分）に温感を覚えやすくすることができるとともに、着用者の下腹部（特に着用者の吸収本体に接している部分）に痒みを覚えさせにくい。
【００５３】
また、上記吸収性物品では、温感本体が保持している第１温感剤の坪量が、吸収本体が保持している第２温感剤の坪量よりも多い場合には、吸収性物品の使用時に、着用者の下腹部（特に着用者の吸収本体に接している部分）に痒みを覚えさせにくくしながら、着用者の下腹部（特に着用者の吸収本体に接している部分）に強い温感を覚えやすくすることができるとともに、吸収性物品の吸収性を阻害しにくくなる。
【００５４】
［態様１６］
上記液透過性シートが、発熱性素材、断熱性素材及び吸湿性素材、並びにそれらの任意の組み合わせからなる群から選択される素材を含む、態様１〜１５のいずれか一項に記載の吸収性物品。
【００５５】
上記吸収性物品では、液透過性シートが、所定の素材を含むため、着用者の蒸散、汗等による水分により、着用者の肌の主に角質層が水分で膨潤し、温感剤が、角化細胞（ケラチノサイト）に主に存在するＴＲＰチャネルに到達しやすくなる。その結果、温熱感知時間が短くなり、着用者が、温熱感知時間に痒みを覚えにくくなる。
【００５６】
＜構成（ａ）＞
本開示の吸収性物品について、以下、詳細に説明する。
図１〜図４は、本開示の実施形態の１つ（以下、「第１実施形態」と称する）に従う吸収性物品としての生理用ナプキン１を説明するための図である。なお、以下、「第１実施形態に従う吸収性物品としての生理用ナプキン」を、単に『第１実施形態に従う生理用ナプキン』と称する場合がある。具体的には、図１は、第１実施形態に従う生理用ナプキン１の平面図である。図２は、生理用ナプキン１の分解斜視図である。図３は、温感本体５に配置された第１温感組成物１７と、吸収本体３に配置された第２温感組成物１９とを説明するための図である。図４は、生理用ナプキン１の着用状態を示す図である。
【００５７】
第１実施形態に従う生理用ナプキン１は、お互いに直交する長手方向Ｌ、幅方向Ｗ及び厚さ方向Ｔを有し、吸収本体３と、吸収本体３より長手方向Ｌの前方に配置された温感本体５とを備えている。生理用ナプキン１は、吸収本体３において、着用時に着用者の肌に当接する液透過性シート７と、着用時に着衣１５１に当接する液不透過性シート９と、液透過性シート７及び液不透過性シート９の間に配置された吸収体１１とを備えている。また、生理用ナプキン１は、温感本体５において、着用時に着用者の肌に当接する液透過性シート７と、着用時に着衣１５１に当接する液不透過性シート９と、液透過性シート７及び液不透過性シート９の間に配置された、温感付与シート１３を備えている。
【００５８】
なお、吸収本体３における液透過性シート７と、温感本体５における液透過性シート７は、一体の不織布から構成されている。具体的には、吸収本体３における液透過性シート７と、温感本体５における液透過性シート７は、長手方向Ｌに延び且つ幅方向Ｗの中央に配置された液透過性シート７ａと、長手方向Ｌに延び且つ幅方向Ｗの左側に配置された液透過性シート７ｂと、長手方向Ｌに延び且つ幅方向Ｗの右側に配置された液透過性シート７ｃとから構成されている。
【００５９】
また、吸収本体３における液不透過性シート９と、温感本体５における液不透過性シート９も、一体の合成樹脂フィルムから構成されている。また、吸収本体３における吸収体１１と、温感本体５における温感付与シート１３とは、それらの一部が、重複部１５において、厚さ方向Ｔに一部重複しており、重複部１５において、吸収体１１が、温感付与シート１３よりも液透過性シート７に近い位置に配置されている。
【００６０】
生理用ナプキン１は、吸収本体３及び温感本体５の両方において、生理用ナプキン１を着用者の着衣１５１に固定するための粘着部１０１を備えている。粘着部１０１の一方の面は、液不透過性シート９に固定され、そして他方の面は、剥離性が付与された、包装シート１０３の内面に仮固定されている。
【００６１】
生理用ナプキン１は、吸収本体３において、生理用ナプキン１を着衣１５１に固定するための一対のフラップ部１０５と、液透過性シート７及び吸収体１１を貫通する、複数の貫通孔１０７と、液透過性シート７及び吸収体１１を圧搾することにより形成されたエンボス部１０９とを備えているが、これらは、当技術分野で公知のものであるため、説明を省略する。
【００６２】
また、生理用ナプキン１は、温感本体５において、液透過性シート７及び温感付与シート１３を圧搾することにより形成されたエンボス部１１１を備えているが、エンボス部そのものは当技術分野で公知であるため、説明を省略する。
さらに、生理用ナプキン１は、吸収本体３及び温感本体５の両方において、生理用ナプキン１の周縁（具体的には、液透過性シート７及び液不透過性シート９）を圧搾することにより形成されたシール部１１３を備えているが、シール部そのものは当技術分野で公知であるため、説明を省略する。
【００６３】
生理用ナプキン１は、未使用状態では、包装シート１０３とともに、長手方向Ｌに延びる、長手方向第１折軸Ｆ1及び長手方向第２折軸Ｆ2と、幅方向Ｗに延びる、幅方向第１折軸Ｆ3及び幅方向第２折軸Ｆ4とを基軸として折畳まれ、生理用ナプキン１の個包装体（図示せず）を形成している。なお、幅方向第１折軸Ｆ3及び幅方向第２折軸Ｆ4は、それぞれ、生理用ナプキン１の前方及び後方に配置されている。
【００６４】
長手方向第１折軸Ｆ1及び長手方向第２折軸Ｆ2は、生理用ナプキン１及び包装シート１０３の展開状態において、吸収体１１の測縁（図示せず）に沿って配置されている。また、幅方向第１折軸Ｆ3は、生理用ナプキン１及び包装シート１０３の展開状態において、吸収本体３及び温感本体５の境界線に沿って配置されており、幅方向第２折軸Ｆ4は、一対のフラップ部１０５の後方に配置されている。
【００６５】
生理用ナプキン１の個包装体（図示せず）は、生理用ナプキン１及び包装シート１０３を、長手方向第１折軸Ｆ1及び長手方向第２折軸Ｆ2を基軸として、生理用ナプキン１を内側にして、長手方向第１折軸Ｆ1及び長手方向第２折軸Ｆ2の順に幅方向Ｗに折畳み、次いで、幅方向第１折軸Ｆ3及び幅方向第２折軸Ｆ4を基軸として、生理用ナプキン１を内側にして、幅方向第２折軸Ｆ4及び幅方向第１折軸Ｆ3の順に長手方向Ｌに折り畳み、タブ１１５で個包装体を固定することにより形成されている。
【００６６】
生理用ナプキン１は、吸収本体３及び温感本体５を、吸収本体３の吸収体１１の排泄口当接域２１を着用者の排泄口に当接するように着衣１５１に配置した際に、温感本体５、特に温感付与シート１３が、着用者の下腹部に対応する位置に配置されるように有している。換言すると、吸収本体３の吸収体１１の排泄口当接域２１と、温感本体５の温感付与シート１３との距離は、着用者の排泄口と、下腹部との距離（肌面上の距離）とに概ね等しくなるように構成されている。
【００６７】
温感本体５において、温感付与シート１３は、３枚の不織布から構成されている。図３に示されるように、温感付与シート１３は、その全体に、第１温感剤を含む第１温感組成物１７を保持している。なお、第１温感組成物１７の一部は、液透過性シート７の、温感付与シート１３側の領域にも保持されている。
また、温感付与シート１３の、幅方向Ｗの長さは、吸収体１１の、幅方向Ｗの長さよりも長く、第１温感組成物１７が、吸収体１１よりも、幅方向Ｗに広い領域に配置されるように構成されている。
【００６８】
吸収本体３は、通常の生理用ナプキンに相当する。吸収本体３は、第２温感剤を含む第２温感組成物１９を、排泄口当接域２１の、幅方向Ｗの両外側に存在する排泄口当接域隣接領域２３に保持している。具体的には、排泄口当接域隣接領域２３の、吸収体１１と、厚さ方向Ｔに重複する領域では、第２温感組成物１９は、吸収体１１と、液透過性シート７とに保持されており、そして排泄口当接域隣接領域２３の、吸収体１１と、厚さ方向Ｔに重複しない領域では、第２温感組成物１９は、液透過性シート７と、液透過性シート７及び液不透過性シート９の間とに保持されている。
【００６９】
第１温感組成物１７は、ＴＲＰチャネルを活性化する第１温感剤５質量％と、溶媒９５質量％とから構成されており、第２温感組成物１９は、ＴＲＰチャネルを活性化する第２温感剤５質量％と、溶媒９５質量％とから構成されている。温感本体５は、温感付与シート１３に、第１温感組成物１７を２．０ｇ／ｍ2の坪量（第１温感剤を０．１ｇ／ｍ2の坪量）で保持し、そして吸収本体３は、排泄口当接域隣接領域２３に、第２温感組成物１９を１０ｇ／ｍ2の坪量（第２温感剤を０．５ｇ／ｍ2の坪量）で保持している。
なお、第１温感組成物１７に含まれる第１温感剤と、第２温感組成物１９に含まれる第２温感剤とは、いずれもバニリルブチルエーテルである。
【００７０】
図４に示されるように、生理用ナプキン１を着衣１５１に固定し、使用すると、温感本体５において温感付与シート１３に含まれる第１温感組成物１７が、液透過性シート７を透過して、着用者の肌に接触し、着用者の肌の、第１温感剤が接触している温感剤接触部分のＴＲＰチャネルを効率よく活性化し、ひいては着用者の下腹部に温感を付与することができる。
【００７１】
着用者の下腹部に温感を付与することにより、着用者の下腹部の肌の、第１温感剤に接していた温感剤接触部分のＴＲＰチャネルが活性化される結果、交感神経系を介して、温感剤接触部分から熱が生じ、着用者の肌の、温感剤接触部分の温度を上昇させることが期待され、ひいては着用者の子宮に近い部位を温め、着用者の生理痛を緩和することが期待される。
また、着用者の子宮に近い部位を温めることにより、着用者の月経前症候群（Ｐｒｅｍｅｎｓｔｒｕａｌ  Ｓｙｎｄｒｏｍｅ）、冷え性、更年期障害等を軽減することが期待される。
【００７２】
第１実施形態に従う生理用ナプキン１では、吸収本体３の、排泄口当接域隣接領域２３に配置された第２温感組成物１９が、液透過性シート７を透過して、着用者の排泄口に接触し、着用者の排泄口の、第２温感剤が接触している温感剤接触部分のＴＲＰチャネルを活性化するとともに、着用者の下腹部、特に、温感本体５（第１温感組成物１７）と接していた部分における温熱感知時間を短くし、当該部分に痒みが生じるのを抑制することができる。
【００７３】
温感本体５における第１温感組成物１７、具体的には第１温感組成物１７中の第１温感剤はまた、着用者の骨盤内リンパ節（内腸骨節、閉鎖節、外腸骨節、前仙骨節、総腸骨節、基靱帯節、仙骨節、鼠径上節、傍大動脈節等）、鼠径リンパ節（浅鼠径節、深鼠径節等）等に温感を付与することができる。
【００７４】
温感本体５の温感付与シート１３と、厚さ方向Ｔに重複する温感付与シート重複部分２５の剛軟度が、吸収本体３の吸収体１１と、厚さ方向Ｔに重複する吸収体重複部分２７の剛軟度よりも低い。具体的には、温感付与シート重複部分２５（液透過性シート７、温感付与シート１３、及び液不透過性シート９から構成される）のガーレ法による剛軟度が、吸収体重複部分２７（液透過性シート７、吸収体１１、及び液不透過性シート９から構成される）のガーレ法による剛軟度よりも低い。そうすることにより、着用者が、陰毛の存在する下腹部に温感を覚えることができるとともに、着用者の下腹部に違和感を覚えにくい。
なお、ガーレ法による剛軟度の測定方法については後述する。
【００７５】
温感付与シート１３の厚さは、吸収体１１の厚さよりも薄い。そうすることにより、着用者が、下腹部に違和感を覚えにくくなる。
【００７６】
温感本体５は、温感付与シート１３と、厚さ方向Ｔに重複する温感本体中央部２９と、温感付与シート１３と、厚さ方向Ｔに重複しない温感本体周縁部３１とに区画され、温感本体周縁部３１の剛性が、温感本体中央部２９の剛性よりも低い。そうすることにより、吸収性物品の使用時に、着用者が、下腹部に違和感を覚えにくい。
【００７７】
また、温感本体周縁部３１では、エンボス部１１１は、液透過性シート７及び液不透過性シート９を間欠的に圧搾することにより形成されている。そうすることにより、吸収性物品の使用時に、着用者が、下腹部に違和感を覚えにくい。
【００７８】
図５は、本開示の別の実施形態（以下、「第２実施形態」と称する）に従う吸収性物品としてのショーツ型生理用ナプキン２０１を説明するための図であり、着用状態を示す図である。なお、以下、「第２実施形態に従う吸収性物品としてのショーツ型生理用ナプキン」を、単に『第２実施形態に従うショーツ型生理用ナプキン』と称する場合がある。
【００７９】
第２実施形態に従うショーツ型生理用ナプキン２０１は、ショーツ部２０３と、吸収性物品部２０５とから構成されている。吸収性物品部２０５は、吸収本体２０７と、温感本体２０９とを備えている。吸収性物品部２０５は、吸収本体２０７において、着用時に着用者の肌に当接する液透過性シート（図示せず）と、液不透過性シート（図示せず）と、それらの間に配置された吸収体２１１とを備えている。また、吸収性物品部２０５は、温感本体２０９において、着用時に着用者の肌に当接する液透過性シート（図示せず）と、液不透過性シート（図示せず）と、それらの間に配置された、温感付与シート２１３とを備えている。
【００８０】
なお、吸収本体２０７における液透過性シート（図示せず）と、温感本体２０９における液透過性シート（図示せず）と、ショーツ部２０３における液透過性シート（図示せず）は、一体の不織布から構成されている。また、吸収本体２０７における液不透過性シート（図示せず）と、温感本体２０９における液不透過性シート（図示せず）と、ショーツ部２０３における液不透過性シート（図示せず）もまた、一体の合成樹脂フィルムから構成されている。
なお、ショーツ部２０３と、吸収性物品部２０５とは、液透過性シート（図示せず）及び液不透過性シート（図示せず）とを圧搾することにより形成されたシール部（図示せず）により区画されている。
【００８１】
温感本体２０９の温感付与シート２１３は、坪量の高い不織布から構成されている。温感付与シート２１３は、温感剤（第１温感剤）を保持していないが、坪量が高く、一定の保温性を有するように構成されている。
吸収本体２０７は、第２温感剤を含む第２温感組成物２１７を、吸収本体２０７の排泄口当接域（図示せず）の、幅方向の両外側に存在する排泄口当接域隣接領域（図示せず）に保持している。吸収本体２０７が保持する第２温感組成物２１７は、第１実施形態における第２温感組成物１９と同様で有り、その作用も同様であることから、説明を省略する。
【００８２】
ショーツ型生理用ナプキン２０１では、温感本体２０９における温感付与シート２１３が、保温性を有し、着用者の下腹部に温感を付与することができる。また、吸収本体２０７の、排泄口当接域隣接領域（図示せず）に配置された第２温感組成物２１７が、液透過性シート（図示せず）を透過して、着用者の排泄口に接触し、着用者の排泄口の、第２温感剤が接触している温感剤接触部分のＴＲＰチャネルを活性化するとともに、着用者の下腹部に温感を付与することに寄与する。
【００８３】
温感本体２０９の温感付与シート２１３と、厚さ方向Ｔに重複する温感付与シート重複部分２１９の剛軟度が、吸収本体２０７の吸収体２１１と、厚さ方向Ｔに重複する吸収体重複部分２２１の剛軟度よりも低い。具体的には、温感付与シート重複部分２１９（液透過性シート（図示せず）、温感付与シート２１３、及び液不透過性シート（図示せず）から構成される）のガーレ法による剛軟度が、吸収体重複部分２２１（液透過性シート（図示せず）、吸収体２１１、及び液不透過性シート（図示せず）から構成される）のガーレ法による剛軟度よりも低い。そうすることにより、着用者が、陰毛の存在する下腹部に温感を覚えることができるとともに、着用者の下腹部に違和感を覚えにくい。
【００８４】
温感付与シート２１３の厚さは、吸収体２１１の厚さよりも薄い。そうすることにより、着用者が、下腹部に違和感を覚えにくくなる。
【００８５】
温感本体２０９は、温感付与シート２１３と、厚さ方向Ｔに重複する温感本体中央部２２３と、温感付与シート２１３と、厚さ方向Ｔに重複しない温感本体周縁部２２５とに区画され、温感本体周縁部２２５の剛性が、温感本体中央部２２３の剛性よりも低い。そうすることにより、吸収性物品の使用時に、着用者が、下腹部に違和感を覚えにくい。
【００８６】
図６は、本開示のさらに別の実施形態（以下、「第３実施形態」と称する）に従う吸収性物品としての、大人用の使い捨ておむつ３０１を説明するための図であり、着用状態を示す図である。なお、以下、「第３実施形態に従う吸収性物品としての使い捨ておむつ」を、単に『第３実施形態に従う使い捨ておむつ』と称する場合がある。
【００８７】
第３実施形態に従う使い捨ておむつ３０１は、吸収本体３０３と、温感本体３０５とを備えている。使い捨ておむつ３０１は、吸収本体３０３において、着用者の肌に当接する液透過性シート３０７と、液不透過性シート３０９と、液透過性シート３０７及び液不透過性シート３０９の間に配置された吸収体３１１とを備えている。また、使い捨ておむつ３０１は、温感本体３０５において、液透過性シート３０７と、液不透過性シート３０９と、液透過性シート３０７及び液不透過性シート３０９の間に配置された温感付与シート３１３とを備えている。
【００８８】
温感付与シート３１３は、使い捨ておむつ３０１の着用時に、着用者の下腹部に対応する位置に配置されるように配置されている。
温感付与シート３１３は、不織布から構成されており、その全体に、第１温感剤及び溶媒を含む第１温感組成物３１５を保持している。なお、第１温感組成物３１５の一部は、液透過性シート３０７の温感付与シート３１３側の領域にも保持されている。
【００８９】
吸収本体３０３は、第２温感剤及び溶媒を含む第２温感組成物３１７を、吸収本体３０３の排泄口当接域（図示せず）の、幅方向の両外側に存在する排泄口当接域隣接領域（図示せず）に保持している。
温感本体３０５が保持する第１温感組成物３１５と、吸収本体３０３が保持する第２温感組成物３１７とは、それぞれ、第１実施形態における第１温感組成物１７及び第２温感組成物１９と同様で有り、それらの作用も同様であることから、説明を省略する。
【００９０】
使い捨ておむつ３０１の着用者が女性の場合には、（ｉ）生理痛の要因とされるプロスタグランジンを排出させ、子宮筋等の筋肉を弛緩させ、生理痛を緩和すること、（ｉｉ）血行を促進し、リンパ液の流れを促進し、老廃物を排出させ、冷え性を改善し、脂肪を燃焼させること、（ｉｉｉ）免疫力を向上させること等が期待される。
使い捨ておむつ３０１の着用者が男性の場合には、（ｉ）プロスタグランジンを排出させ、筋肉を弛緩させ、痛みを緩和すること、（ｉｉ）血行を促進し、リンパ液の流れを促進し、老廃物を排出させ、冷え性を改善し、脂肪を燃焼させること、（ｉｉｉ）免疫力を向上させること等が期待される。
【００９１】
図７は、本開示のさらに別の実施形態（以下、「第４実施形態」と称する）に従う吸収性物品としての、生理用ナプキン１を説明するための図である。なお、以下、「第４実施形態に従う吸収性物品としての生理用ナプキン」を、単に『第４実施形態に従う生理用ナプキン』と称する場合がある。
【００９２】
第４実施形態に従う生理用ナプキン１では、温感本体５において、温感付与シート１３が、その全体に、第１温感剤及び溶媒を含む第１温感組成物１７を保持しているが、温感付与シート１３の周縁部における第１温感組成物１７ｂ中の第１温感剤の坪量が、温感付与シート１３の中央における第１温感組成物１７ａ中の第１温感剤の坪量よりも少ない。そうすることにより、温感付与シート１３の周縁部において、第１温感剤による温感作用が小さくなり、温熱感知時間に、特に温感付与シート１３の周縁部において、着用者が痒みを覚えにくくなる。
【００９３】
また、吸収本体３は、第２温感剤を含む第２温感組成物１９を、排泄口当接域２１と、排泄口当接域２１の幅方向Ｗの両外側に存在する排泄口当接域隣接領域２３とに保持している。具体的には、排泄口当接域隣接領域２３の、吸収体１１と、厚さ方向Ｔに重複する領域では、第２温感組成物１９は、吸収体１１と、液透過性シート７とに保持されており、そして排泄口当接域隣接領域２３の、吸収体１１と、厚さ方向Ｔに重複しない領域では、第２温感組成物１９は、液透過性シート７と、液透過性シート７及び液不透過性シート９の間とに保持されている。
第４実施形態に従う生理用ナプキン１は、上述の部分以外は、第１実施形態に従う生理用ナプキン１と同様であるため、説明を省略する。
【００９４】
本開示の吸収性物品では、温感本体は、温感付与シートを備えており、温感シートは、温感付与シート単体から構成されていてもよく、そして温感付与シートと、他のシート、例えば、液透過性シートと、液不透過性シートと、液透過性シート及び液不透過性シートの間に配置された温感付与シートとを含むことができる。
【００９５】
本開示の吸収性物品では、温感本体の温感付与シートと、吸収性物品の厚さ方向に重複する温感付与シート重複部分の剛軟度が、吸収本体の吸収体と、吸収性物品の厚さ方向に重複する吸収体重複部分の剛軟度よりも低く、そして温感付与シート重複部分の剛軟度が吸収体重複部分の剛軟度の、好ましくは５〜７０％、より好ましくは１０〜６０％、そしてより好ましくは２０〜５０％の範囲にある。そうすることにより、着用者が吸収性物品を着用する際に、温感付与シート重複部分が折れ曲がりにくく、ひいては着用者の下腹部に的確に温感を覚えさせることができるとともに、着用者の下腹部に違和感を覚えさせにくくなる。
【００９６】
本開示の吸収性物品では、温感本体の温感付与シート重複部分の剛軟度は、好ましくは１〜１５ｍＮ、より好ましくは３〜１０ｍＮ、そしてさらに好ましくは４〜８ｍＮである。着用者の下腹部に的確に温感を覚えさせることができるとともに、着用者の下腹部に違和感を覚えさせにくくする観点からである。
【００９７】
上記剛軟度の関係は、温感付与シート重複部分の、吸収性物品の長手方向及び幅方向の中心を中心としたサンプル（以下、剛軟度の測定方法を参照）と、吸収体重複部分の、排泄口当接域の中心を中心としたサンプルとの間で満たすことが好ましく、そして温感付与シート重複部分の任意の部分におけるサンプルと、吸収体重複部分の任意の部分におけるサンプルとの間で満たすことがより好ましい。
【００９８】
また、吸収体が、吸収コア（パルプ繊維、パルプ繊維及び高吸水性ポリマーの混合物、高吸水性ポリマーシート等）と、コアラップ（ティッシュ、エアレイドパルプ等）とを含む場合には、上記剛軟度の関係は、吸収体重複部分のうち、吸収コアと、吸収性物品の厚さ方向に重複する吸収コア重複部分において満たすことが好ましい。着用者が硬さを覚えやすいのは、吸収体の吸収コアの部分だからである。
【００９９】
さらに、上記剛軟度の関係は、吸収性物品の幅方向において満たすことが好ましく、そして吸収性物品の長手方向及び幅方向の両方で満たすことが好ましい。着用者の下腹部に違和感を覚えさせにくくする観点からである。
【０１００】
本明細書では、上記剛軟度は、以下の通り測定され、記載されていない事項は、ＪＩＳ  Ｌ  １９１３：２０１０「一般不織布試験方法」の「６．７．４  ガーレ法」に従う。
（１）恒温恒湿室（温度：２５±５℃，相対湿度：６５±５％）に、安田精機製作所社製のＮｏ．３１１ガーレー式柔軟度試験機を準備する。
（２）上記恒温恒湿室に、測定すべき試料を、展開状態で２４時間静置する。
【０１０１】
（３）試料から長さＬ＝３８ｍｍ及び幅ｄ＝２５ｍｍのサンプルを、長さＬが所定の方向（例えば、吸収性物品の長手方向、幅方向）に延びるように切り出す。なお、吸収性物品が、個包装されている場合には、測定前に、包装シートを除去する。
（４）サンプルを、サンプルの長手方向の一方の端部６．３ｍｍがチャック部に保持されるように且つサンプルの長手方向の他方の端部６．３ｍｍが振り子Ｂに接触するようにセットする。
【０１０２】
（５）可動アームを定速回転させ、サンプルが振り子Ｂから離れる際の目盛り（ＲＧ1）を読む（１回目）。次いで、サンプルの表裏を反対にして、サンプルをガーレー式柔軟度試験機にセットし、サンプルが振り子Ｂから離れる際の目盛り（ＲＧ2）を読む（２回目）。
（６）以下の式から、剛軟度（ｍＮ）を計算する。
剛軟度（ｍＮ）
【数１】
2020004669.tif 000003
（７）異なるサンプルで、上述の測定を計５回繰り返し、上記剛軟度の平均値を採用する。
【０１０３】
本開示の吸収性物品では、温感付与シートの厚さが、吸収体の厚さよりも薄いことが好ましく、そして温感付与シートの厚さが、吸収体の厚さの、より好ましくは１〜６０％、さらに好ましくは２〜５０％、そしてさらにいっそう好ましくは３〜４０％の範囲にある。そうすることにより、着用者の下腹部に温感を覚えさせることができるとともに、着用者の下腹部に違和感を覚えさせにくくなる。
なお、温感シート及び吸収体の厚さは、後述の繊維密度の測定における、サンプル片の厚さと同様に測定する。
【０１０４】
本開示の吸収性物品では、温感本体における温感付与シートは、温感剤を保持していてもよく、そして保持していなくともよい。温感付与シートが温感剤を保持していない場合であっても、温感付与シートが一定の保温性を有する場合には、着用者が、下腹部に温感を覚えることができるからである。
【０１０５】
着用者の下腹部に確実に温感を付与する観点からは、温感本体における温感付与シートが、温感剤を保持していることが好ましい。
なお、着用者の下腹部に確実に温感を付与する観点からは、温感本体が、温感付与シート重複部分の剛軟度が、吸収体重複部分の剛軟度よりも低いとの条件を満たす範囲で、鉄粉等の発熱体を保持していてもよい。
【０１０６】
本開示の吸収性物品では、吸収本体が、温感剤を保持していてもよく、そして保持していなくともよい。
本開示の吸収性物品において、温感本体における温感付与シートが温感剤を保持している場合には、着用者の下腹部に痒みを覚えさせにくくするとともに、着用者の下腹部に確実に温感を付与する観点からは、吸収本体が、温感剤を保持していることが好ましい。
【０１０７】
本開示の吸収性物品において、吸収本体が温感剤を保持している場合には、吸収本体は、温感剤を、吸収体と、吸収性物品の厚さ方向に重複する領域、吸収体と、吸収性物品の厚さ方向に重複しない領域等に保持することができる。
吸収体と、吸収性物品の厚さ方向に重複する領域では、温感剤は、吸収体、液透過性シート等に保持されうる。また、吸収体と、吸収性物品の厚さ方向に重複しない領域では、温感剤は、液透過性シートと、液不透過性シートとの間等に保持される。
【０１０８】
また、本開示の吸収性物品において、吸収本体が温感剤を保持している場合には、吸収本体は、温感剤を、着用者の排泄口に当接する排泄口当接域の、吸収性物品の幅方向の両外側に配置される排泄口当接域隣接領域等に保持することができる。
また、上記排泄口当接域隣接領域に配置される温感剤は、排泄口当接域隣接領域のみに配置されていてもよく、そして排泄口当接域隣接領域を超え、吸収本体の長手方向に延びていてもよく、そして温感本体に配置される温感剤と連結されていてもよい。また、吸収本体の長手方向において、臀部から後方にかけては汗をかきやすいので、温感剤を配置しなくてもよい。
【０１０９】
本開示の吸収性物品では、温感本体及び吸収体は、温感剤を単体として保持してもよく、そして温感剤を、温感剤を含む温感組成物（例えば、温感剤及び溶媒を含む温感組成物）として保持してもよい。
上記温感組成物は、室温、例えば、２５℃において、液状又は固形状であることができる。また、着用者への移動のしやすさを考慮すると、上記温感組成物は、体温に相当する３６℃において、液状であることが好ましい。
【０１１０】
本明細書では、温感本体が保持しうる「温感剤」及び「温感組成物」を、それぞれ、『第１温感剤』及び『第１温感組成物』と称する場合があり、そして吸収本体が保持しうる「温感剤」及び「温感組成物」を、それぞれ、『第２温感剤』及び『第２温感組成物』と称する場合があり、「第１温感剤」及び「第２温感剤」を『温感剤』と総称することが有り、そして「第１温感組成物」及び「第２温感組成物」を『温感組成物』と総称することが有る。
【０１１１】
なお、本明細書では、温感剤及び温感組成物に関する「第１」及び「第２」は、それらが配置される位置が異なることを意味するものであって、それらの組成が異なることを意味するものではなく、それらが同一の組成を有していてもよい。
【０１１２】
上記温感剤は、ＴＲＰチャネルを活性化するものであることが好ましく、例えば、ＴＲＰＶ１レセプターに対するアゴニスト、ＴＲＰＶ３レセプターに対するアゴニスト等が挙げられ、ＴＲＰＶ１に対するアゴニストであることが好ましい。ＴＲＰＶ１レセプターは、活性化温度閾値が４３℃超と高く、着用者に高い温感を付与することができるからである。
【０１１３】
上記温感剤は、着用者の安心感の観点から、植物由来の化合物であることが好ましい。上記温感剤としては、例えば、カプシコシド、カプサイシン（ＬＤ５０：４７ｍｇ／ｋｇ，分子量：３０５）、カプサイシノイド類（ジヒドロカプサイシン、ノルジヒドロカプサイシン、ホモジヒドロカプサイシン、ホモカプサイシン、ノニバミド等）、カプサンチン、ニコチン酸ベンジル（ＬＤ５０：２，１８８ｍｇ／ｋｇ，分子量：２１３）、ニコチン酸β−ブトキシエチル、Ｎ−アシルワニルアミド、ノナン酸バニリルアミド、多価アルコール、唐辛子末、唐辛子チンキ、唐辛子エキス、ノナン酸バニリルエーテル、バニリルアルコールアルキルエーテル誘導体（例えば、バニリルエチルエーテル、バニリルブチルエーテル（ＬＤ５０：４，９００ｍｇ／ｋｇ，分子量：２１０）、バニリルペンチルエーテル、バニリルヘキシルエーテル）、イソバニリルアルコールアルキルエーテル、エチルバニリルアルコールアルキルエーテル、ベラトリアルアルコール誘導体、置換ベンジルアルコール誘導体、置換ベンジルアルコールアルキルエーテル、バニリンプロピレングリコールアセタール、エチルバニリンプロピレングリコールアセタール、ショウガエキス、ジンジャーオイル、ジンゲロール（ＬＤ５０：２５０ｍｇ／ｋｇ，分子量：２９４）、ジンゲロン、ヘスペリジン、及びピロリドンカルボン酸、並びにそれらの任意の組み合わせが挙げられる。
【０１１４】
上記温感剤は、着用者が痛さ、痒さ等を感じにくい観点から、カプサイシンではないことが好ましく、そしてバニリルアルコールアルキルエーテル誘導体（例えば、バニリルエチルエーテル、バニリルブチルエーテル、バニリルペンチルエーテル、バニリルヘキシルエーテルショウガエキス、ジンジャーオイル、ジンゲロール、及びジンゲロン、並びにそれらの任意の組み合わせがより好ましい。
【０１１５】
上記溶媒は、上記温感剤を含むことができるものであれば、特に限定されず、例えば、親油性溶媒及び親水性溶媒が挙げられる。上記溶媒は、上記温感剤を、例えば、溶解、分散等することができる。
上記親油性溶媒としては、油脂、例えば、天然油（例えば、トリグリセリド等の脂肪酸エステル、ヤシ油、アマニ油、トリ（カプリル／カプリン酸）グリセリル等）、炭化水素（例えば、パラフィン、例えば、流動パラフィン）等が挙げられる。
上記親水性溶媒は、水及びアルコールが挙げられる。上記アルコールとしては、メタノール、エタノール、エチレングリコール、グリセリン等の低級アルコール、カプリルアルコール、ラウリルアルコール、ミリスチルアルコール等の高級アルコール等が挙げられる。
【０１１６】
上記溶媒は、揮発性を制御しやすい、特に揮発性を下げやすい観点からは、油脂（親油性溶媒）又はアルコール（親水性溶媒）であることが好ましい。また、吸収性物品の吸収性を阻害しにくい観点から、上記溶媒は親油性溶媒であることが好ましい。
【０１１７】
本開示の吸収性物品において、温感本体及び／又は吸収本体が、温感剤を温感組成物として保持する場合には、温感組成物は、上記温感剤を、好ましくは０．０００１〜５．０質量％、より好ましくは０．０００５〜３．０質量％、さらに好ましくは０．１〜１．０質量％、そしてさらにいっそう好ましくは０．３〜０．７質量％含む。温感効果の観点からである。
【０１１８】
本開示の吸収性物品において、温感本体が第１温感剤を単体で保持する場合には、温感本体は、第１温感剤を、好ましくは０．００１〜１ｇ／ｍ2、より好ましくは０．００３〜０．５ｇ／ｍ2、さらに好ましくは０．０１〜０．２５ｇ／ｍ2、そしてさらにいっそう好ましくは０．０５〜０．１５ｇ／ｍ2の坪量で含む。着用者の下腹部に温感を付与しつつ、着用者の下腹部に痒みを覚えにくくする観点からである。
【０１１９】
本開示の吸収性物品において、温感本体が、第１温感剤を第１温感組成物として保持する場合には、温感本体は、第１温感組成物を、第１温感剤の坪量が、好ましくは０．００１〜１ｇ／ｍ2、より好ましくは０．００３〜０．５ｇ／ｍ2、さらに好ましくは０．０１〜０．２５ｇ／ｍ2、そしてさらにいっそう好ましくは０．０５〜０．１５ｇ／ｍ2となるような坪量で含む。着用者の下腹部に温感を付与しつつ、着用者の下腹部に痒みを覚えにくくする観点からである。
【０１２０】
本開示の吸収性物品において、吸収本体が、第２温感剤を単体で保持する場合には、吸収本体は、第２温感剤を、好ましくは０．０１〜１０ｇ／ｍ2、より好ましくは０．０３〜５ｇ／ｍ2、さらに好ましくは０．１〜２．５ｇ／ｍ2、そしてさらにいっそう好ましくは０．３〜１．５ｇ／ｍ2の坪量で含む。着用者の下腹部に温感を付与しつつ、着用者の下腹部に痒みを覚えにくくする観点からである。
【０１２１】
本開示の吸収性物品において、吸収本体が、第２温感剤を第２温感組成物として保持する場合には、吸収本体は、第２温感組成物を、第２温感剤の坪量が、好ましくは０．０１〜１０ｇ／ｍ2、より好ましくは０．０３〜５ｇ／ｍ2、さらに好ましくは０．１〜２．５ｇ／ｍ2、そしてさらにいっそう好ましくは０．３〜１．５ｇ／ｍ2となるような坪量で含む。着用者の下腹部に温感を付与しつつ、着用者の下腹部に痒みを覚えにくくする観点からである。
【０１２２】
本開示の吸収性物品において、温感本体及び吸収本体が、温感剤を、単体で又は温感組成物として保持する場合には、温感本体が保持している第１温感剤の坪量は、吸収本体が保持している第２温感剤の坪量に対して、好ましくは０．０１倍以上、より好ましくは０．０５倍以上、そしてさらに好ましくは０．１倍以上である。着用者の下腹部に温感を付与しつつ、着用者の下腹部に痒みを覚えにくくする観点からである。
【０１２３】
本開示の吸収性物品において、温感本体及び吸収本体が、温感剤を、単体で又は温感組成物として保持する場合には、温感本体が保持している第１温感剤の坪量は、吸収本体が保持している第２温感剤の坪量に対して、任意であり、温感本体が保持している第１温感剤の坪量は、吸収本体が保持している第２温感剤の坪量よりも、少なくともよく、多くともよく、そして温感本体が保持している第１温感剤の坪量が、吸収本体が保持している第２温感剤の坪量と同一であってもよい。
【０１２４】
温感本体が保持している第１温感剤の坪量が、吸収本体が保持している第２温感剤の坪量よりも少ない場合には、温感本体が保持している第１温感剤の坪量は、吸収本体が保持している第２温感剤の坪量に対して、好ましくは１．０倍未満、より好ましくは０．５倍以下、そしてさらに好ましくは０．３倍以下である。それにより、着用者の下腹部（特に着用者の吸収本体に接している部分）に温感を付与しつつ、着用者の下腹部（特に着用者の吸収本体に接している部分）に痒みを覚えにくくすることができる。
【０１２５】
また、温感本体が保持している第１温感剤の坪量が、吸収本体が保持している第２温感剤の坪量よりも多い場合には、例えば、温感本体が保持している第１温感剤の坪量は、吸収本体が保持している第２温感剤の坪量に対して、好ましくは１．３倍以上、より好ましくは１．６倍以上、そしてさらに好ましくは１．９倍以上である。それにより、着用者の下腹部（特に着用者の吸収本体に接している部分）に痒みを覚えにくくしながら、着用者の下腹部（特に着用者の吸収本体に接している部分）に高い温感を付与することができるとともに、吸収性物品の吸収性を阻害しにくくなる。
【０１２６】
本開示の吸収性物品において、温感本体及び吸収本体が、それぞれ、温感剤を単体として保持する場合には、第１温感剤と、第２温感剤とは、同一種であってもよく、そして異なる種であってもよい。着用者の下腹部に温感を覚えさせることができるとともに、着用者の下腹部に痒みを覚えさせにくくする観点から、第１温感剤の種類及び量と、第２温感剤の種類及び量とを選択可能である。
【０１２７】
また、本開示の吸収性物品において、温感本体及び吸収本体が、それぞれ、温感剤を温感組成物として保持する場合には、第１温感組成物に含まれる第１温感剤と、第２温感組成物に含まれる第２温感剤とは、同一種であってもよく、そして異なる種であってもよい。着用者の下腹部に温感を覚えさせることができるとともに、着用者の下腹部に痒みを覚えさせにくくする観点から、第１温感剤の種類及び量と、第２温感剤の種類及び量とを選択可能である。
【０１２８】
本明細書では、温感剤及び温感組成物の坪量は、以下の通り測定される。
（１）複数枚の吸収性物品を準備し、液体窒素にて、各吸収性物品中の温感剤及び温感組成物を固化させる。
（２）温感剤及び温感組成物を固化させた吸収性物品から、カッター等を用いて、所望の領域のサンプルを、平面方向の所定面積：Ｓ1（ｍ2）を有するようにカッター等を用いて切り出す。
なお、各サンプルは、吸収体、温感付与シート、液不透過性シート等を含むように切り出してもよい。
（３）各サンプルの質量：ｍ1（ｇ）を測定する。
（４）各サンプルを、温感剤又は温感組成物の極性に合わせた洗浄溶媒（例えば、温感組成物の溶媒が親油性溶媒である場合にはトルエン、温感組成物の溶媒が親水性溶媒である場合にはエタノール等）で洗浄する。
【０１２９】
（５）洗浄後の各サンプルを、７０℃で１時間乾燥し、乾燥後の質量：ｍ2（ｇ）を測定する。
（６）各サンプルの温感溶液の坪量：ｂｓ（ｇ／ｍ2）を、次の式：
ｂｓ（ｇ／ｍ2）＝（ｍ1−ｍ2）／Ｓ1
から算出する。
（７）異なる吸収性物品を用いて、各サンプルの温感剤又は温感組成物の坪量を、計１０回測定し、それらの平均値を、所望の領域の温感剤又は温感組成物の坪量として採用する。温感組成物中の温感剤の比率は、温感組成物を、当技術分野で公知の分析手段を用いて分析することにより測定することができる。
なお、温感剤又は温感組成物の坪量の高低であれば、光学顕微鏡等を用いて、目視で評価することができる。
【０１３０】
本開示の吸収性物品において、温感本体及び／又は吸収本体が、温感剤を温感組成物として保持する場合には、温感組成物は、着用者に温感を付与する効果を阻害しない範囲で、下記に示されるような、少なくとも１種の他の成分とを含むことができる。
【０１３１】
上記少なくとも１種の他の成分としては、例えば、冷感剤が挙げられる。上記冷感剤としては、例えば、ＴＲＰチャネルを活性化するものが挙げられ、上記冷感剤としては、例えば、ＴＲＰＭ８レセプターに対するアゴニスト、ＴＲＰＡ１レセプターに対するアゴニスト等が挙げられ、ＴＲＰＭ８レセプターに対するアゴニストであることが好ましい。
【０１３２】
上記冷感剤としては、例えば、メントール（例えば、ｌ−メントール）及びその誘導体（例えば、乳酸メンチル、メンチルグリセリルエーテル、例えば、ｌ−メンチルグリセリルエーテル）、サリチル酸メチル、カンファー、植物（例えば、ミント、ユーカリ）由来の精油等が挙げられる。
本願発明者は、温感組成物が、ＴＲＰチャネルを活性化する温感剤に加え、ＴＲＰチャネルを活性化する冷感剤をさらに含む場合には、着用者が、上述の温熱感知時間に、温感組成物と接している部分及びその周辺部に痒みを覚えにくいことを見出した。
【０１３３】
本開示の吸収性物品において、温感組成物が冷感剤をさらに含む場合には、温感組成物は、冷感剤を、好ましくは０．０００１〜５．０質量％、より好ましくは０．０００５〜３．０質量％、さらに好ましくは０．１〜１．０質量％、そしてさらにいっそう好ましくは０．３〜０．７質量％含む。着用者が温熱感知時間に痒みを覚えにくく且つ過度の冷感を覚えにくい観点からである。
【０１３４】
本開示の吸収性物品において、温感組成物が冷感剤をさらに含む場合には、上記温感組成物は、上記温感剤及び冷感剤を、好ましくは２０：１〜１：１０、より好ましくは１０：１〜１：５、そしてさらに好ましくは２：１〜１：１の質量比で含む。着用者が、温熱感知時間に痒みを感じにくいとともに、冷感を覚えにくく且つ温感を覚えやすい観点からである。
【０１３５】
上記少なくとも１種の他の成分としては、例えば、気化熱により周囲の温度を下げる冷却剤が挙げられ、当該冷却剤として、例えば、アルコール、例えば、メタノール及びエタノールが挙げられる。
【０１３６】
上記少なくとも１種の他の成分としては、例えば、シリコーンオイル、シリコーン、シリコーン系レジン等が挙げられる。
上記少なくとも１種の他の成分としては、例えば、酸化防止剤、例えば、ＢＨＴ（２，６−ジ−ｔ−ブチル−ｐ−クレゾール）、ＢＨＡ（ブチル化ヒドロキシアニソール）、没食子酸プロピル等が挙げられる。
【０１３７】
上記少なくとも１種の他の成分としては、例えば、ビタミン、例えば、天然ビタミン又は合成ビタミンが挙げられる。上記ビタミンとしては、例えば、水溶性ビタミン、例えば、ビタミンＢ群、例えば、ビタミンＢ1，ビタミンＢ2，ビタミンＢ3，ビタミンＢ5，ビタミンＢ6，ビタミンＢ7，ビタミンＢ9，ビタミンＢ12等、ビタミンＣが挙げられる。
上記ビタミンとしては、例えば、脂溶性ビタミン、例えば、ビタミンＡ群、ビタミンＤ群、ビタミンＥ群、およびビタミンＫ群等が挙げられる。
上記ビタミンにはまた、それらの誘導体も含まれる。
【０１３８】
上記少なくとも１種の他の成分としては、例えば、アミノ酸、例えば、アラニン、アルギニン、リジン、ヒスチジン、プロリン、ヒドロキシプロリン等、並びにペプチドが挙げられる。
【０１３９】
上記少なくとも１種の他の成分としては、例えば、ゼオライト、例えば、天然ゼオライト、例えば、方沸石、菱沸石、輝沸石、ナトロライト、束沸石、及びトムソナイト、並びに、合成ゼオライトが挙げられる。
上記少なくとも１種の他の成分としては、例えば、コレステロール、ヒアルロン酸、レシチン、セラミド、プラセンタ、コラーゲン、エラスチン、スクワラン、ワセリン、トレハロース等が挙げられる。
【０１４０】
また、上記少なくとも１種の他の成分としては、例えば、薬剤、例えば、皮膚収斂剤、抗ニキビ剤、抗シワ剤、抗セルライト剤、美白剤、抗菌剤、抗カビ剤等が挙げられる。
上記皮膚収斂剤としては、例えば、酸化亜鉛、硫酸アルミニウム、タンニン酸等、油溶性皮膚収斂剤、例えば、油溶性ポリフェノールが挙げられる。上記油溶性ポリフェノールとしては、天然の油溶性ポリフェノール、例えば、オオバクエキス、オトギリソウエキス、オドリコソウエキス、カモミラエキス、ゴボウエキス、サルビアエキス、シナノキエキス、セイヨウボダイジュエキス、シラカバエキス、スギナエキス、セージエキス、サルビアエキス、テウチグルミエキス、ハイビスカスエキス、ビワ葉エキス、ボダイジュエキス、ホップエキス、マロニエエキス、ヨクイニンエキス等が挙げられる。
【０１４１】
上記抗ニキビ剤としては、例えば、サリチル酸、過酸化ベンゾイル、レゾルシノール、イオウ、エリスロマイシン、亜鉛等が挙げられる。
上記抗シワ剤としては、例えば、乳酸、サリチル酸、サリチル酸誘導体、グリコール酸、フィチン酸、リポ酸、リソフォスファチド酸が挙げられる。
【０１４２】
上記抗セルライト剤としては、例えば、キサンチン化合物、例えば、アミノフィリン、カフェイン、テオフィリン、テオブロミン等が挙げられる。
上記美白剤としては、例えば、ナイアシンアミド、コウジ酸、アルブチン、グルコサミン及び誘導体、フィトステロール誘導体、アスコルビン酸及びその誘導体、並びにクワ抽出物及び胎盤抽出物が挙げられる。
【０１４３】
また、上記少なくとも１種の他の成分としては、例えば、抗炎症成分、ｐＨ調整剤、抗菌剤、保湿剤、香料、色素、染料、顔料、植物抽出エキス等が挙げられる。上記抗炎症成分としては、例えば、天然由来の抗炎症剤、例えば、ボタン、オオゴン、オトギリソウ、カモミール、甘草、モモノハ、ヨモギ、シソエキス等、合成抗炎症剤、例えば、アラントイン、グリチルリチン酸ジカリウム等が挙げられる。
上記ｐＨ調整剤としては、肌を弱酸性に保つためのもの、例えば、リンゴ酸、コハク酸、クエン酸、酒石酸、乳酸等が挙げられる。
上記顔料としては、例えば、酸化チタンが挙げられる。
【０１４４】
本開示の吸収性物品では、温感本体及び／又は吸収本体は、発熱剤を含まないことが好ましい。そうすることにより、着用者が、低温やけどを起こしにくくなる。また、吸収性物品自体が発熱しないため、吸収性物品を着衣、肌当に固定するための粘着部が軟化しにくく、吸収性物品の使用を終え、吸収性物品を着衣、着用者の肌等から取り外す際に、吸収性物品の粘着部が、着衣、肌等に残りにくい。
【０１４５】
上記発熱剤としては、発熱剤自体が発熱するものであれば、特に制限されず、例えば、金属粉（例えば、鉄粉）の酸化熱、酸及びアルカリの中和熱、無機塩の水和熱等の化学エネルギーを利用するものが挙げられる。
【０１４６】
本開示の吸収性物品では、温感本体が、温感付与シートと、吸収性物品の厚さ方向に重複する温感本体中央部（すなわち、温感付与シート重複部分）と、温感付与シートと、吸収性物品の厚さ方向に重複しない温感本体周縁部とに区画されるとともに、温感本体周縁部の剛性が、温感本体中央部の剛性よりも低いことが好ましい。そうすることにより、吸収性物品の使用時に、着用者の下腹部に違和感を覚えさせにくくなる。
なお、上記剛性の高低は、温感本体中央部と、温感本体周縁部とに触れることにより判断することができる。
【０１４７】
本開示の吸収性物品では、温感本体が、上述の温感本体中央部と、温感本体周縁部とに区画される場合において、温感本体周縁部が、液透過性シート及び液不透過性シートを連続的又は間欠的に圧搾することにより形成された、温感本体周縁部に沿って連続的又は間欠的に配置されたエンボス部を備えることができ、そして当該エンボス部が、温感本体周縁部に沿って間欠的に配置されたものであることが好ましい。そうすることにより、吸収性物品の使用時に、着用者の下腹部に違和感を覚えさせにくくなる。
【０１４８】
本開示の吸収性物品において、液透過性シートは、液透過性を有するものであれば特に制限されず、例えば、布帛（例えば、不織布、織布、編物）、開孔フィルム等から構成される。上記布帛は、吸収性物品の製法のしやすさの観点から不織布であることが好ましい。
上記不織布としては、例えば、エアレイドパルプ、エアスルー不織布、スパンボンド不織布、ポイントボンド不織布、スパンレース不織布、ニードルパンチ不織布、メルトブローン不織布、及びこれらの組み合わせ（例えば、ＳＭＳ等）等が挙げられる。
【０１４９】
上記布帛を構成する繊維としては、例えば、天然繊維、合成繊維、及び半合成繊維が挙げられる。上記天然繊維としては、パルプ繊維及び再生セルロース繊維が挙げられる。
上記再生セルロース繊維としては、レーヨン繊維、例えば、ビスコースから得られるビスコースレーヨン、ポリノジック及びモダール、セルロースの銅アンモニア塩溶液から得られる銅アンモニアレーヨン繊維（「キュプラ」とも称される）；有機化合物及び水の混合溶液である有機溶剤を用いた有機溶剤紡糸法によって得られ、セルロース誘導体を経ないリヨセル及びテンセル等が挙げられる。
上記半合成繊維としては、半合成セルロース繊維、例えば、アセテート繊維、例えば、トリアセテート繊維及びジアセテート繊維が挙げられる。
【０１５０】
上記合成繊維としては、例えば、熱融着性繊維、例えば、ポリオレフィン系ポリマー、例えば、ポリエチレン若しくはポリプロピレン；ポリエステル系ポリマー、例えば、テレフタレート系ポリマー、例えば、ポリエチレンテレフタレート（ＰＥＴ），ポリブチレンテレフタレート，ポリペンチレンテレフタレート；ポリアミド系ポリマー、例えば、ナイロン６若しくはナイロン６，６；アクリル系ポリマー；ポリアクリロニトリル系ポリマー；又はそれらの変性物、あるいはそれらの組み合わせ等から形成された繊維が挙げられる。
【０１５１】
上記開孔フィルムとしては、例えば、ポリエチレン、ポリプロピレンのシートに、複数の開孔部を設けたものが挙げられる。
【０１５２】
本開示の吸収性物品において、温感付与シートの素材としては、液透過性シートの素材として列挙されるもの、後述の液不透過性シートとして列挙されるもの等が挙げられる。
上記温感付与シートは、吸収本体における液透過性シート、液不透過性シートと一体のシートであってもよく、それらと別体のシートであってもよい。
上記温感付与シートは、好ましくは１０〜２００ｇ／ｍ2、より好ましくは２０〜１６０ｇ／ｍ2、さらに好ましくは３０〜１４０ｇ／ｍ2、そしてさらにいっそう好ましくは４０〜１２０ｇ／ｍ2の坪量を有する。
【０１５３】
本開示の吸収性物品では、温感本体及び／又は吸収本体が、吸収性物品の厚さ方向に、温感剤を保持しうる層を、上層及び下層の２層以上備える場合には、それらの層を制御することにより、温感本体及び／又は吸収本体に、オンデマンド性を付与することができる。例えば、上層としての液透過性シートと、下層としての温感付与シート、吸収体等との極性（親油性度及び親水性度）を調整することにより、吸収性物品がオンデマンド性を有することができる。
【０１５４】
例えば、温感本体及び／又は吸収本体が、親油性溶媒を含む温感組成物を保持している合は、下層の親油性度が、上層の親油性度よりも高いことが好ましい。温感本体及び／又は吸収本体に力が加わらない状況下では、温感組成物が、下層に留まりやすく、温感本体及び／又は吸収本体に力が加わると、温感組成物が上層、ひいては着用者に移動しやすくなるからである。
【０１５５】
例えば、温感本体及び／又は吸収本体が、親水性溶媒を含む温感組成物を保持している合は、下層の親水性度が、上層の親水性度よりも高いことが好ましい。温感本体及び／又は吸収本体に力が加わらない状況下では、温感組成物が、下層に留まりやすく、温感本体及び／又は吸収本体に力が加わると、温感組成物が上層、ひいては着用者に移動しやすくなるからである。
【０１５６】
例えば、上層が液透過性シートである場合には、液透過性シートは、親水性又は親油性を有することができる。親水性を有する液透過性シートは、液透過性シートを構成する素材を、当技術分野で公知の親水化剤で処理する（例えば、親水化剤を塗工する、親水化剤を練り込む）ことにより形成されうる。上記親水化剤としては、例えば、アルキルホスフェートエステル塩、アルキルホスフェート金属塩等が挙げられる。また、上記親水化剤としては、例えば、炭素数が１０〜３０のアルキルホスフェートエステル塩と、炭素数が１０〜３０のベタイン化合物、硫酸エステル塩又はスルホネート塩との混合物、アルキルホスフェートエステル塩とポリエーテル変性シリコーンとの混合物等が挙げられる。
【０１５７】
親油性を有する液透過性シートとしては、液透過性シートを構成する素材を、当技術分野で公知の親油化剤で処理する（例えば、親油化剤を塗工する、親油化剤を練り込む）ことにより形成されうる。上記親油化剤としては、脂肪酸エステル（例えば、トリグリセリド）、炭化水素（例えば、直鎖状炭化水素）が挙げられる。
【０１５８】
本願発明者は、温感剤を含む吸収性物品では、温熱感知時間が、発熱剤（例えば、鉄粉）を含む発熱物品と比較して長くなる傾向にあり、当該温熱感知時間の間に、着用者が痒みを覚えやすいことに加え、温感剤を含む吸収性物品では、発熱剤（例えば、鉄粉）を含む発熱物品と比較して、着用者の肌の状態（例えば、着用者の肌の乾燥度等）によって、温感の覚え方に差があることを見出した。例えば、着用者の肌が水分で湿潤している場合には、着用者の肌が乾燥している場合と比較して、着用者の肌の主に角質層が膨潤した状態を保持しやすく、温感剤が、主に角化細胞（ケラチノサイト）に存在するＴＲＰチャネルに到達しやすくなるため、温感を覚えやすい（温熱感知時間が短い）。
【０１５９】
従って、本開示の吸収性物品にオンデマンド性を付与することにより、着用者が温感本体及び／又は吸収本体を、吸収性物品の厚さ方向に押し込むことにより、温感本体及び／又は吸収本体から温感剤が放出され、温感剤が、着用者の肌に到達し、押し込む前よりも、着用者により温感を付与することができ、着用者が温感を調整することができるようになる。上記オンデマンド性は、温感本体に付与することが好ましい。着用者の押込みやすさの観点からである。
【０１６０】
本開示の吸収性物品にオンデマンド性を付与するときには、上記液透過性シートは、好ましくは０．００５〜０．０６０ｇ／ｃｍ3、より好ましくは０．０１０〜０．０５０ｇ／ｃｍ3、そしてさらに好ましくは０．０２０〜０．０４０ｇ／ｃｍ3の繊維密度を有する布帛であることが好ましい。上層としての液透過性シートと、下層との繊維密度を調整することにより、吸収性物品がオンデマンド性を有することができる。
上記繊維密度の測定方法は、後述する。
【０１６１】
本開示の吸収性物品にオンデマンド性を付与するときには、液透過性シートは、３０ｇ／ｃｍ2の荷重時の厚さが、３ｇ／ｃｍ2荷重時の厚さの、好ましくは７０％以下、より好ましくは６０％以下、そしてさらに好ましくは５０％以下である布帛であることが好ましい。そうすることにより、着用者が温感本体及び／又は吸収本体を、その厚さ方向に押し込んだ際に、液透過性シートが潰れやすくなり、温感本体及び／又は吸収本体が保持する温感剤を、着用者の肌に接触させやすくなり、ひいては吸収性物品のオンデマンド性が向上する。
【０１６２】
本開示の吸収性物品にオンデマンド性を付与するときには、液透過性シートは、１０ｇ／ｃｍ2の荷重時の厚さが、３ｇ／ｃｍ2荷重時の厚さの、好ましくは７０％以上、より好ましくは８０％以上、そしてさらに好ましくは９０％以上である布帛であることが好ましい。そうすることにより、着衣等の着圧では液透過性シートが潰れにくくなり、着圧により、液透過性シートが保持する温感剤を着用者の肌に接触させにくくなり、ひいては吸収性物品のオンデマンド性が向上しやすくなる。
【０１６３】
本明細書では、３０ｇ／ｃｍ2、１０ｇ／ｃｍ2及び３ｇ／ｃｍ2荷重時の厚さは、以下の通り測定される。
（１）温度：２０±５℃及び湿度：６５±５％ＲＨの恒温恒湿室に、株式会社大栄科学精器製作所製  ＦＳ−６０ＤＳを準備し、同恒温恒湿室に、液透過性シート (以下、「サンプル」と称する）を２４時間静置する。
（２）サンプルの厚さを、場所を変えて１０点測定し、それらの平均値を、サンプルの厚さとして採用する。
荷重は、測定子を変更することにより調整する。荷重：３ｇ／ｃｍ2の条件では、直径：４４ｍｍの測定子を用い、荷重：１０ｇ／ｃｍ2の条件では、直径：２５ｍｍの測定子を用い、そして荷重：３０ｇ／ｃｍ2の条件では、直径：１４ｍｍの測定子を用いる。
【０１６４】
上記液透過性シートは、好ましくは１０〜１００ｇ／ｍ2、そしてより好ましくは２０〜５０ｇ／ｍ2の坪量を有する。上記液透過性シートの坪量は、後述の繊維密度の測定における、サンプル片の坪量と同様に測定する。吸収性物品を構成する他の資材についても同様である。
【０１６５】
本開示の吸収性物品において、温感本体がオンデマンド性を有する場合には、温感付与シートが、親水性又は親油性を有することができる。親水性を有する温感付与シートは、温感付与シートを構成する素材を、当技術分野で公知の親水化剤で処理する（例えば、親水化剤を塗工する、親水化剤を練り込む）ことにより形成されうる。上記親水化剤としては、液透過性シートの説明の箇所で列挙した親水化剤が挙げられる。液透過性シート及び温感付与シート間の極性（親油性度及び親水性度）を調整することにより、温感本体がオンデマンド性を有することができる。
【０１６６】
親油性を有する温感付与シートとしては、温感付与シートを構成する素材を、当技術分野で公知の親油化剤で処理する（例えば、親水化剤を塗工する、親水化剤を練り込む）ことにより形成されうる。上記親油化剤としては、液透過性シートの説明の箇所で列挙した親油化剤が挙げられる。
【０１６７】
本開示の吸収性物品において、温感本体がオンデマンド性を有する場合には、温感付与シートが布帛で有ることが好ましく、そして温感付与シートが、好ましくは０．０１０〜０．５００ｇ／ｃｍ3、より好ましくは０．０２０〜０．３００ｇ／ｃｍ3、そしてさらに好ましくは０．０３０〜０．１００ｇ／ｃｍ3の繊維密度を有する。
【０１６８】
本開示の吸収性物品において、温感本体がオンデマンド性を有する場合には、液透過性シート布帛で有ることが好ましく、そして液透過性シートが、温感付与シートよりも、好ましくは０．００５ｇ／ｃｍ3以上、より好ましくは０．０１０ｇ／ｃｍ3以上、さらに好ましくは０．０１５ｇ／ｃｍ3以上、さらに好ましくは０．０２０ｇ／ｃｍ3以上、さらに好ましくは０．０２５ｇ／ｃｍ3以上、そしてさらに好ましくは０．０３０ｇ／ｃｍ3以上の差で小さい繊維密度を有する。そうすることにより、力等の加わっていない状態では、第１温感剤、特に第１温感組成物は、繊維密度が高い温感付与シートに保持されやすくなり、着用者が、吸収性物品を押し込むと、第１温感剤、特に第１温感組成物が液透過性シートに移動し、次いで、着用者の肌に移動しやすくなる。
【０１６９】
本開示の吸収性物品において、温感本体がオンデマンド性を有する場合には、液透過性シート布帛で有るとともに、液透過性シートが、温感付与シートよりも、好ましくは０．４４０ｇ／ｃｍ3以下、より好ましくは０．３００ｇ／ｃｍ3以下、さらに好ましくは０．２５０ｇ／ｃｍ3以下、さらにいっそう好ましくは０．２００ｇ／ｃｍ3以下、さらにいっそう好ましくは０．１５０ｇ／ｃｍ3以下、さらにいっそう好ましくは０．１００ｇ／ｃｍ3以下、さらにいっそう好ましくは０．０６０ｇ／ｃｍ3以下、さらにいっそう好ましくは０．０４５ｇ／ｃｍ3以下、さらにいっそう好ましくは０．０４０ｇ／ｃｍ3以下、そしてさらにいっそう好ましくは０．０３５ｇ／ｃｍ3以下の差で小さい繊維密度を有する。そうすることにより、着用者が、吸収性物品を押し込むと、第１温感剤、特に第１温感組成物が液透過性シートに移動し、次いで、着用者の肌に移動しやすくなる。
【０１７０】
液透過性シート及び温感付与シートの繊維密度は、以下の通り測定される。
（１）温度：２０±５℃及び湿度：６５±５％ＲＨの恒温恒湿室に、株式会社大栄科学精器製作所製  ＦＳ−６０ＤＳ［測定面４４ｍｍ（直径），測定圧３ｇ／ｃｍ2］を準備し、同恒温恒湿室に、液透過性シート及び／又は温感付与シート(以下、「サンプル」と称する）を２４時間静置する。
（２）上記サンプルから、０．１ｍ×０．１ｍのサイズのサンプル片を１０枚採取する。
（３）各サンプル片の質量を測定し、次いで、各サンプル片の質量（ｇ）を、各サンプル片の面積（ｍ2）で除することにより、各サンプル片の坪量：ｂｗ（ｇ／ｍ2）を算出する。
【０１７１】
（４）ＦＳ−６０ＤＳを用いて、各サンプル片の異なる５つの部位を加圧し、各部位における加圧１０秒後の厚さを測定し、５つの測定値の平均値を、各サンプル片の厚さ：ｔ（ｍ）とする。
（５）各サンプル片において、サンプル片の坪量：ｂｗ（ｇ／ｍ2）を、サンプル片の厚さ：ｔ（ｍ）で除し、単位を調整することにより、各サンプル片の繊維密度：ｆｄ（ｇ／ｃｍ3）を算出する。
（６）計１０枚のサンプル片の繊維密度：ｆｄ（ｇ／ｃｍ3）の平均値を算出し、当該平均値を繊維密度：ＦＤ（ｇ／ｃｍ3）として採用する。
【０１７２】
本開示の吸収性物品において、温感本体がオンデマンド性を有する場合であって、温感本体が、親油性溶媒を含む第１温感組成物を保持しているときには、温感付与シートの親油性度が、液透過性シートの親油性度よりも高いことが好ましい。そうすることにより、親油性溶媒を含む第１温感組成物が、液透過性シートよりも温感付与シートに存在しやすくなり、そして着用者が吸収性物品を押し込むと、温感付与シートから第１温感組成物が放出され、液透過性シートに移動し、液透過性シートを通過した第１温感組成物が、着用者の肌に到達し、着用者に温感を付与することができる。また、着用者が吸収性物品を押し込むことをやめると、温感付与シートの親油性度と、液透過性シートの親油性度との差により、着用者の肌に到達した第１温感組成物が、徐々に温感付与シートに戻る。従って、着用者が温感をより制御しやすくなり、温感本体が、オンデマンド性に優れやすくなる。
【０１７３】
本開示の吸収性物品において、温感本体がオンデマンド性を有する場合であって、温感本体が、親水性溶媒を含む第１温感組成物を保持しているときには、温感付与シートの親水性度が、液透過性シートの親水性度よりも高いことが好ましい。吸収性物品のオンデマンド性を向上させる観点からである。そうすることにより、親水性溶媒を含む第１温感組成物が、液透過性シートよりも温感付与シートに存在しやすくなり、そして着用者が吸収性物品を押し込むと、温感付与シートから第１温感組成物が放出され、液透過性シートに移動し、液透過性シートを通過した第１温感組成物が、着用者の肌に到達し、着用者に温感を付与することができる。また、着用者が吸収性物品を押し込むことをやめると、温感付与シートの親水性度と、液透過性シートの親水性度との差により、着用者の肌に到達した第１温感組成物が、徐々に温感付与シートに戻る。従って、着用者が温感をより制御しやすくなり、上記吸収性物品が、オンデマンド性に優れやすくなる。
【０１７４】
上記親油性度の高低及び親水性度の高低は、以下の通り評価される。
（１）温度：２０±５℃及び湿度：６５±５％ＲＨの恒温恒湿室に、協和界面化学株式会社の自動極小接触角計ＭＣＡ−Ｊを準備し、同恒温恒湿室に、液透過性シート及び温感付与シート(以下、「サンプル」と称する）を２４時間静置する。
（２）ＭＣＡ−Ｊのインクジェットから、脱イオン水の微小液滴（２０ｐＬ）を、測定すべきサンプルの表面（サンプルが布帛の場合には繊維の表面、サンプルがシートの場合にはシートの表面）に滴下し、微小液滴の様子を経時で録画する。
（３）サンプルの表面に微小液滴が付着した直後の画像を画像解析し、微小液滴の、サンプルの表面に対する接触角を算出する。
（４）接触角は、異なる繊維２０本の計２０カ所の測定値の平均値を採用する。
（５）接触角が大きいサンプルを、親油性が高いサンプル（親水性が低いサンプル）とし、接触角の小さいサンプルを、親油性の低いサンプル（親水性の高いサンプル）とする。
【０１７５】
本開示の吸収性物品において、吸収性物品を構成する資材、好ましくは、着用者の肌に当接する肌当接シート（例えば、液透過性シート）は、発熱性素材、断熱性素材及び吸湿性素材、並びにそれらの任意の組み合わせからなる群から選択される素材（以下、単に「機能性素材」と称する場合がある）を含むことができる。
吸収性物品を構成する資材が、上述の所定の機能性素材を含むと、着用者の蒸散、汗等による水分により、着用者の肌の主に角質層が水分で膨潤しやすくなり、温感剤が、角化細胞（ケラチノサイト）に主に存在するＴＲＰチャネルに到達しやすくなる。その結果、温熱感知時間が短くなり、着用者が、温熱感知時間に痒みを覚えにくくなる。
【０１７６】
上記発熱性素材としては、（ｉ）吸湿発熱性素材（吸湿発熱性繊維、吸湿発熱性シート等）、（ｉｉ）蓄熱素材（蓄熱繊維、蓄熱シート等）、（ｉｉｉ）遠赤外線放射素材（遠赤外線放射繊維、遠赤外線放射シート等）が挙げられる。
【０１７７】
上記吸湿発熱性素材としては、例えばアクリレート系素材、羊毛等が挙げられる。上記蓄熱素材としては、例えば、太陽光を吸収し、熱エネルギーに変換する物質（炭化ジルコニウム等）を含む素材、カーボン素材等が挙げられる。上記遠赤外線放射素材としては、例えば、加熱されると、遠赤外線を放射するセラミックスを含む素材が挙げられる。
上記断熱性素材としては、中空繊維、羽毛等が挙げられる。
上記吸湿性素材としては、上述の天然繊維、半合成繊維等が挙げられる。
【０１７８】
具体的には、本開示の吸収性物品において、吸収性物品を構成する資材、例えば、液透過性シートが吸湿発熱性素材、例えば、吸湿発熱性繊維を含む場合には、着用者の肌からの蒸散、汗等の水分が提供されると、吸湿発熱性繊維が発熱し、着用者が汗をかきやすくなる。次いで、着用者の汗の水分により、着用者の肌の主に角質層が水分で膨潤し、温感剤が、角化細胞（ケラチノサイト）に主に存在するＴＲＰチャネルに到達しやすくなる。その結果、温熱感知時間が短くなり、着用者が、温熱感知時間に痒みを覚えにくくなる。
【０１７９】
また、吸収性物品を構成する資材、例えば、液透過性シートが、蓄熱素材又は遠赤外線放射素材を含む場合にも、着用者が汗をかきやすくなり、着用者の汗の水分により、着用者の肌の主に角質層が水分で膨潤し、温感剤が、角化細胞（ケラチノサイト）に主に存在するＴＲＰチャネルに到達しやすくなる。その結果、温熱感知時間が短くなり、着用者が、温熱感知時間に痒みを覚えにくくなる。
【０１８０】
また、吸収性物品を構成する資材、例えば、液透過性シートが断熱性素材を含む場合には、着用者が汗をかきやすくなり、着用者の汗の水分により、着用者の肌の主に角質層が水分で膨潤し、温感剤が、角化細胞（ケラチノサイト）に主に存在するＴＲＰチャネルに到達しやすくなる。その結果、温熱感知時間が短くなり、着用者が、温熱感知時間に痒みを覚えにくくなる。
【０１８１】
また、吸収性物品を構成する資材、例えば、液透過性シートが吸湿性素材を含む場合には、吸湿性素材が、着用者の蒸散、汗等の水分を保持し、着用者の肌の主に角質層を水分で膨潤させやすくなり、温感剤が、主に角化細胞（ケラチノサイト）に主に存在するＴＲＰチャネルに到達しやすくなる。その結果、温熱感知時間が短くなり、着用者が、温熱感知時間に痒みを覚えにくくなる。
【０１８２】
本開示の吸収性物品において、液不透過性シートの素材としては、液不透過性を有するものであれば特に制限されず、例えば、フィルム、例えば、ポリエチレン、ポリプロピレン等から構成される透湿性フィルム、非透湿性フィルム、スパンボンド又はスパンレース等の不織布に透湿性フィルムを接合したもの、ＳＭＳ等の複層不織布等が挙げられる。
上記液不透過性シートは、好ましくは１０〜５０ｇ／ｍ2、そしてより好ましくは１５〜３０ｇ／ｍ2の坪量を有する。
【０１８３】
本開示の吸収性物品では、液不透過性シートが非透湿性フィルムから構成されることが好ましい。そうすることにより、温感本体及び吸収本体に接する着用者の肌に存在する水分、水蒸気等が、液不透過性シートを透過して吸収性物品の外に排出されにくくなり、着用者の肌の主に角質層が水分で膨潤した状態を保持しやすく、温感剤が、角化細胞（ケラチノサイト）に主に存在するＴＲＰチャネルに到達しやすくなる。その結果、温熱感知時間が短くなり、着用者が、温熱感知時間に痒みを覚えにくくなる。
【０１８４】
上記温感付与シートは、第１温感剤を含むことができる。上記温感本体が、親油性溶媒を含む第１温感組成物を保持している場合には、上記温感付与シートは、合成繊維から形成された布帛、例えば、不織布、織布、編物等であることができ、例えば、合成繊維から形成された不織布であることができる。また、吸収性物品が親水性溶媒を含む第１温感組成物を保持しているときには、上記温感付与シートは、セルロース系繊維から構成される布帛、例えば、不織布、織布、編物等であることができ、例えば、パルプ繊維から構成されるティッシュ、エアレイドパルプ等であることができる。
【０１８５】
本開示の吸収性物品では、温感本体は、液透過性シート及び液不透過性シートの間、具体的には、液透過性シート及び温感付与シートの間、並びに／又は温感付与シート及び液不透過性シートの間に追加のシートを含むことができる。
また、本開示の吸収性物品では、吸収本体は、液透過性シート及び液不透過性シートの間に、当技術分野で公知の追加のシート、例えば、液透過性及び吸収体の間の拡散シートを含むことができる。
上記追加のシートとしては、例えば、液透過性シートの素材として列挙されるもの、ティッシュ等が挙げられる。
【０１８６】
上記吸収体としては、コアラップが、パルプ繊維及び高吸水性ポリマーを含む吸収コアを覆っているもの、コアラップが、高吸水性ポリマーを含む吸収コア又は高吸水性ポリマーから成る吸収コアを覆っているもの等が挙げられる。上記コアラップとしては、ティッシュ、エアレイドパルプ等が挙げられる。
【０１８７】
本開示の吸収性物品は、当該吸収性物品を着衣、着用者の肌等に固定する粘着部を備えていることができ、当該粘着部としては、ホットメルト接着剤、例えば、例えば、スチレン−エチレン−ブタジエン−スチレン（ＳＥＢＳ）、スチレン−ブタジエン−スチレン（ＳＢＳ）、スチレン−イソプレン−スチレン（ＳＩＳ）等のゴム系を主体とした、又は直鎖状低密度ポリエチレン等のオレフィン系を主体とした感圧型接着剤又は感熱型接着剤；水溶性高分子（例えば、ポリビニルアルコール、カルボキシルメチルセルロース、ゼラチン等）又は水膨潤性高分子（例えば、ポリビニルアセテート、ポリアクリル酸ナトリウム等）からなる感水性接着剤等が挙げられる。
【０１８８】
本開示の吸収性物品は、使用される前に包装シートで包装されていることが好ましい。吸収性物品が保持する温感剤を保護する観点、吸収性物品が保持する温感剤を外部に漏らさない観点等からである。例えば、本開示の吸収性物品は、一又は複数の吸収性物品が包装シートで包装された包装体であることが好ましく、そして１つの吸収性物品が包装シートで包装された個包装体であることがより好ましい。
【０１８９】
上記包装シートの素材としては、例えば、ポリオレフィン系ポリマー、例えば、ポリエチレン及びポリプロピレンが挙げられる。上記包装シートは、上記個包装体の気密性を高める観点から、気密層を含んでもよく、そして当該気密層の素材としては、例えば、エチレンビニルアルコールコポリマー、塩化ビニリデン系ポリマー、例えば、塩化ビニリデンメチルアクリレートコポリマー、ポリビニルアルコール、ナイロン、例えば、ナイロン６、アルミ箔、基材フィルム（ポリエチレンテレフタレート等）上にアルミナ、シリカ等が蒸着されたものが挙げられる。
【０１９０】
本開示の吸収性物品としては、特に制限されず、例えば、生理用ナプキン、ショーツ型生理用ナプキン、パンティーライナー、使い捨ておむつ、失禁パッド、陰唇間パッド、タンポン、産褥パッド、母乳パッド、痔用パッド、汗取りパッド、褥瘡シート（ドレッシングシート）、ペット用オムツ、ペット用シート等が挙げられる。
【０１９１】
＜構成（ｂ）＞
本開示の吸収性物品について、以下、詳細に説明する。
図１〜図４は、第１実施形態に従う生理用ナプキン１を説明するための図であることは上述の通りであるが、図１〜４はまた、本開示の別の実施形態（以下、「第５実施形態」と称する）に従う吸収性物品としての生理用ナプキン１を説明するための図である。なお、以下、「第５実施形態に従う吸収性物品としての生理用ナプキン」を、単に『第５実施形態に従う生理用ナプキン』と称する場合がある。具体的には、図１は、第５実施形態に従う生理用ナプキン１の平面図である。図２は、生理用ナプキン１の分解斜視図である。図３は、温感本体５に配置された第１温感組成物１７と、吸収本体３に配置された第２温感組成物１９とを説明するための図である。図４は、生理用ナプキン１の着用状態を示す図である。
【０１９２】
第５実施形態に従う生理用ナプキン１は、温感付与シート１３及び温感付与シート重複部分２５を、それぞれ、補助シート１３及び補助シート重複部分２５と読み替える以外は、第１実施形態の箇所で説明したとおりであるため、説明を省略する。
【０１９３】
図５は、本開示の別の実施形態（以下、「第６実施形態」と称する）に従う吸収性物品としてのショーツ型生理用ナプキン２０１を説明するための図であり、着用状態を示す図である。なお、以下、「第６実施形態に従う吸収性物品としてのショーツ型生理用ナプキン」を、単に『第６実施形態に従うショーツ型生理用ナプキン』と称する場合がある。
【０１９４】
第６実施形態に従うショーツ型生理用ナプキン２０１は、ショーツ部２０３と、吸収性物品部２０５とから構成されている。吸収性物品部２０５は、吸収本体２０７と、温感本体２０９とを備えている。吸収性物品部２０５は、吸収本体２０７において、着用時に着用者の肌に当接する液透過性シート（図示せず）と、液不透過性シート（図示せず）と、それらの間に配置された吸収体２１１とを備えている。また、吸収性物品部２０５は、温感本体２０９において、着用時に着用者の肌に当接する液透過性シート（図示せず）と、液不透過性シート（図示せず）と、それらの間に配置された、補助シート２１４とを備えている。
【０１９５】
なお、吸収本体２０７における液透過性シート（図示せず）と、温感本体２０９における液透過性シート（図示せず）と、ショーツ部２０３における液透過性シート（図示せず）は、一体の不織布から構成されている。また、吸収本体２０７における液不透過性シート（図示せず）と、温感本体２０９における液不透過性シート（図示せず）と、ショーツ部２０３における液不透過性シート（図示せず）もまた、一体の合成樹脂フィルムから構成されている。
なお、ショーツ部２０３と、吸収性物品部２０５とは、液透過性シート（図示せず）及び液不透過性シート（図示せず）とを圧搾することにより形成されたシール部（図示せず）により区画されている。
【０１９６】
温感本体２０９の補助シート２１４は、第５実施形態における補助シート１３と同様に、不織布から構成されている。補助シート２１４は、その全体に、ＴＲＰチャネルを活性化する第１温感剤と、溶媒とを含む第１温感組成物２１５を保持している。なお、第１温感組成物２１５の一部は、液透過性シート（図示せず）の補助シート２１４側の領域にも保持されている。
【０１９７】
吸収本体２０７は、第２温感剤を含む第２温感組成物２１７を、吸収本体２０７の排泄口当接域（図示せず）の、幅方向の両外側に存在する排泄口当接域隣接領域（図示せず）に保持している。
温感本体２０９が保持する第１温感組成物２１５と、吸収本体２０７が保持する第２温感組成物２１７とは、それぞれ、第５実施形態における第１温感組成物１７及び第２温感組成物１９と同様で有り、それらの作用も同様であることから、説明を省略する。
【０１９８】
温感本体２０９の補助シート２１４と、厚さ方向Ｔに重複する補助シート重複部分２２０の剛軟度が、吸収本体２０７の吸収体２１１と、厚さ方向Ｔに重複する吸収体重複部分２２１の剛軟度よりも低い。具体的には、補助シート重複部分２２０（液透過性シート（図示せず）、補助シート２１４、及び液不透過性シート（図示せず）から構成される）のガーレ法による剛軟度が、吸収体重複部分２２１（液透過性シート（図示せず）、吸収体２１１、及び液不透過性シート（図示せず）から構成される）のガーレ法による剛軟度よりも低い。そうすることにより、着用者が、陰毛の存在する下腹部に温感を覚えることができるとともに、着用者の下腹部に違和感を覚えにくい。
【０１９９】
補助シート２１４の厚さは、吸収体２１１の厚さよりも薄い。そうすることにより、着用者が、下腹部に違和感を覚えにくくなる。
【０２００】
温感本体２０９は、補助シート２１４と、厚さ方向Ｔに重複する温感本体中央部２２３と、補助シート２１４と、厚さ方向Ｔに重複しない温感本体周縁部２２５とに区画され、温感本体周縁部２２５の剛性が、温感本体中央部２２３の剛性よりも低い。そうすることにより、吸収性物品の使用時に、着用者が、下腹部に違和感を覚えにくい。
【０２０１】
図６は、第３実施形態に従う大人用の使い捨ておむつ３０１を説明するための図であることは上述の通りであるが、図６はまた、本開示のさらに別の実施形態（以下、「第７実施形態」と称する）に従う吸収性物品としての、大人用の使い捨ておむつ３０１を説明するための図であり、着用状態を示す図である。なお、以下、「第７実施形態に従う吸収性物品としての使い捨ておむつ」を、単に『第７実施形態に従う使い捨ておむつ』と称する場合がある。
【０２０２】
第７実施形態に従う大人用の使い捨ておむつ３０１は、温感付与シート３１３を、補助シート３１３と読み替える以外は、第３実施形態に従う大人用の使い捨ておむつ３０１の箇所で説明したとおりであるため、説明を省略する。
【０２０３】
図７は、第４実施形態に従う生理用ナプキン１を説明するための図であることは上述の通りであるが、図７はまた、本開示のさらに別の実施形態（以下、「第８実施形態」と称する）に従う吸収性物品としての、生理用ナプキン１を説明するための図である。なお、以下、「第８実施形態に従う吸収性物品としての生理用ナプキン」を、単に『第８実施形態に従う生理用ナプキン』と称する場合がある。
【０２０４】
第８実施形態に従う生理用ナプキン１は、温感付与シート１３を、補助シート１３と読み替える以外は、第３実施形態に従う大人用の使い捨ておむつ３０１の箇所で説明したとおりであるため、説明を省略する。
【０２０５】
本開示の吸収性物品では、温感本体及び吸収本体は、それぞれ、第１温感剤及び第２温感剤を含む。
温感本体は、第１温感剤を単体として保持することができ、そして第１温感剤を、第１温感剤を含む第１温感組成物（例えば、第１温感剤及び溶媒を含む第１温感組成物）として保持することができる。また、吸収本体は、第２温感剤を単体として保持することができ、そして第２温感剤を、第２温感剤を含む第２温感組成物（例えば、第２温感剤及び溶媒を含む第２温感組成物）として保持することができる。
【０２０６】
本明細書では、温感本体が保持する「第１温感剤」と、吸収本体が保持する「第２温感剤」とをまとめて「温感剤」と称する場合があり、そして温感本体が保持しうる「第１温感組成物」と、吸収本体が保持しうる「第２温感組成物」とをまとめて「温感組成物」と称する場合がある。
【０２０７】
本開示の吸収性物品、すなわち、構成（ｂ）を備える吸収性物品に関する一般記載、例えば、温感体（第１温感剤及び第２温感剤）、並びに温感組成物（第１温感組成物及び第２温感組成物）に関する一般記載は、構成（ａ）を備える吸収性物品の箇所で説明されるものと同様であるため説明を省略し、ここでは、構成（ａ）を備える吸収性物品と異なる点を中心に説明する。
なお、構成（ａ）を備える吸収性物品を引用する場合において、「温感付与シート」及び「温感付与シート重複部分」は、適宜、「補助シート」及び「補助シート重複部分」と読み替える。
【０２０８】
本開示の吸収性物品では、温感本体は、吸収性物品の平面方向（吸収性物品の長手方向及び幅方向）において、第１温感剤を、任意の位置、例えば、全面、中央部等に保持することができる。本開示の吸収性物品において、温感本体が補助シートを備える場合には、温感本体は、補助シートと、吸収性物品の厚さ方向に重複する領域、補助シートと、吸収性物品の厚さ方向に重複する領域及び重複しない領域に保持することができる。
【０２０９】
本開示の吸収性物品では、温感本体は、吸収性物品の厚さ方向において、第１温感剤を、任意の位置に保持することができる。本開示の吸収性物品において、温感本体が、液透過性シート及び液不透過性シートを備えている場合には、温感本体は、第１温感剤を、液透過性シート及び液不透過性シートの間、液透過性シートの内部等に保持することができる。また、本開示の吸収性物品において、温感本体が、液透過性シート、補助シート及び液不透過性シートを備えている場合には、温感本体は、第１温感剤を、液透過性シートの内部、補助シートの内部、液透過性シート及び補助シートの間、補助シート及び液不透過性シートの間、並びにそれらの任意の組み合わせの位置に保持することができる。
【０２１０】
本開示の吸収性物品では、吸収本体は、第２温感剤を、吸収体と、吸収性物品の厚さ方向に重複する領域、吸収体と、吸収性物品の厚さ方向に重複しない領域等に保持することができる。吸収本体が、第２温感剤を、吸収体と、吸収性物品の厚さ方向に重複する領域に保持していると、着用者の皮膚（排泄口等）と直接接している機会の多い吸収体から、第２温感剤を着用者の皮膚に浸透させやすくなる。また、吸収本体が、第２温感剤を、吸収体と、吸収性物品の厚さ方向に重複しない領域等に保持することにより、着用者の肌の水分率が高く、第２温感剤が浸透しやすい部分（着用者の皮膚のうち、吸収体と接していない部分は、吸収体による水分の吸収が少なく、着用者の肌の水分率が高くなりやすい）に、第２温感剤を浸透させやすくなる。
【０２１１】
本開示の吸収性物品では、吸収本体は、第２温感剤を、吸収本体の排泄口当接域、排泄口当接域の、吸収性物品の幅方向の両外側に存在する排泄口当接域隣接領域、排泄口当接域の、吸収性物品の長手方向の両外側に存在する排泄口当接域隣接領域等に保持することができる。吸収本体が、第２温感剤を、排泄口当接域及び／又は排泄口当接域隣接領域に保持することにより、着用者の下腹部に温感を付与しやすくなり、ひいては、着用者が下腹部に温感を覚えにくくなる。
【０２１２】
本開示の吸収性物品では、吸収本体は、吸収性物品の厚さ方向において、第２温感剤を、液透過性シートの内部、吸収体の内部、液透過性シート及び吸収体の間、吸収体及び液不透過性シートの間、液透過性シート及び液不透過性シートの間、並びにそれらの任意の組み合わせの位置に保持することができる。
【０２１３】
本開示の吸収性物品では、温感本体の補助シートと、吸収性物品の厚さ方向に重複する補助シート重複部分の剛軟度が、吸収本体の吸収体と、吸収性物品の厚さ方向に重複する吸収体重複部分の剛軟度よりも低いことが好ましく、そして補助シート重複部分の剛軟度が吸収体重複部分の剛軟度の、より好ましくは５〜７０％、さらに好ましくは１０〜６０％、そしてさらにいっそう好ましくは２０〜５０％の範囲にある。そうすることにより、着用者が吸収性物品を着用する際に、補助シート重複部分が折れ曲がりにくく、ひいては着用者の下腹部に的確に温感を覚えさせることができるとともに、着用者の下腹部に違和感を覚えさせにくくなる。
【０２１４】
本開示の吸収性物品では、温感本体の補助シート重複部分の剛軟度は、好ましくは１〜１５ｍＮ、より好ましくは３〜１０ｍＮ、そしてさらに好ましくは４〜８ｍＮである。着用者の下腹部に的確に温感を覚えさせることができるとともに、着用者の下腹部に違和感を覚えさせにくくする観点からである。
【０２１５】
上記剛軟度の関係は、補助シート重複部分の、吸収性物品の長手方向及び幅方向の中心を中心としたサンプル（以下、剛軟度の測定方法を参照）と、吸収体重複部分の、排泄口当接域の中心を中心としたサンプルとの間で満たすことが好ましく、そして補助シート重複部分の任意の部分におけるサンプルと、吸収体重複部分の任意の部分におけるサンプルとの間で満たすことがより好ましい。
【０２１６】
また、吸収体が、吸収コア（パルプ繊維、パルプ繊維及び高吸水性ポリマーの混合物、高吸水性ポリマーシート等）と、コアラップ（ティッシュ、エアレイドパルプ等）とを含む場合には、上記剛軟度の関係は、吸収体重複部分のうち、吸収コアと、吸収性物品の厚さ方向に重複する吸収コア重複部分において満たすことが好ましい。着用者が硬さを覚えやすいのは、吸収体の吸収コアの部分だからである。
【０２１７】
さらに、上記剛軟度の関係は、吸収性物品の幅方向において満たすことが好ましく、そして吸収性物品の長手方向及び幅方向の両方で満たすことが好ましい。着用者の下腹部に違和感を覚えさせにくくする観点からである。剛軟度の測定方法については、構成（ａ）に関して説明済であるため、ここでの説明は省略する。
【０２１８】
本開示の吸収性物品では、補助シートの厚さが、吸収体の厚さよりも薄いことが好ましく、そして補助シートの厚さが、吸収体の厚さの、より好ましくは１〜６０％、さらに好ましくは２〜５０％、そしてさらにいっそう好ましくは３〜４０％の範囲にある。そうすることにより、着用者の下腹部に温感を覚えさせることができるとともに、着用者の下腹部に違和感を覚えさせにくくなる。
なお、温感シート及び吸収体の厚さは、上述の繊維密度の測定における、サンプル片の厚さと同様に測定する。
【０２１９】
本開示の吸収性物品では、温感本体が、補助シートと、吸収性物品の厚さ方向に重複する温感本体中央部（すなわち、補助シート重複部分）と、補助シートと、吸収性物品の厚さ方向に重複しない温感本体周縁部とに区画されるとともに、温感本体周縁部の剛性が、温感本体中央部の剛性よりも低いことが好ましい。そうすることにより、吸収性物品の使用時に、着用者の下腹部に違和感を覚えさせにくくなる。
なお、上記剛性の高低は、温感本体中央部と、温感本体周縁部とに触れることにより判断することができる。
【０２２０】
本開示の吸収性物品では、温感本体が、補助シートを備えることができ、上記補助シートの素材としては、液透過性シートの素材として列挙されるものが挙げられる。
上記補助シートは、好ましくは１０〜２００ｇ／ｍ2、そしてより好ましくは１５〜１５０ｇ／ｍ2の坪量を有する。
【実施例】
【０２２１】
以下、例を挙げて本開示を説明するが、本開示はこれらの例に限定されるものではない。
＜構成（ａ）＞
［製造例Ａ１］
第１実施形態に従う生理用ナプキンＮｏ．Ａ１を製造した。吸収本体及び温感本体における液透過性シートは、エアスルー不織布（坪量：３０ｇ／ｍ2）であり、温感付与シートは、エアレイドパルプ（坪量：４５ｇ／ｍ2，厚さ：１．０ｍｍ）から構成され、吸収体は、パルプ繊維及び高吸水性ポリマーの混合物（坪量：２００ｇ／ｍ2，パルプ繊維及び高吸水性ポリマーの質量比：１０：１，厚さ：２．０ｍｍ）を、上下２枚のティッシュで包装したものから構成され、液不透過性シートは、ポリエチレンフィルム（坪量：２４ｇ／ｍ2）から構成されていた。第１温感組成物は、第１温感剤としてのバニリルブチルエーテル（５．０質量％）と、溶媒としてのトリ（カプリル／カプリン酸）グリセリルとから構成されていた。第２温感組成物は、第１温感組成物と同一の組成を有していた。
温感本体の温感付与シートに、第１温感組成物を、第１温感剤の坪量が０．１ｇ／ｍ2となるような量で塗工し、そして吸収本体に、第２温感組成物を、第２温感剤の坪量が０．５ｇ／ｍ2となるような量で塗工した。【０２２２】
［製造例Ａ２］
温感付与シートに第１温感組成物を塗工せず、そして吸収本体に第２温感組成物を塗工しなかった以外は、製造例Ａ１と同様にして、生理用ナプキンＮｏ．Ａ２を製造した。【０２２３】
［製造例Ａ３］
温感付与シートを、エアレイドパルプ（坪量：４５ｇ／ｍ2，厚さ：１．０ｍｍ）を４枚重ねたものに変更した以外は、製造例Ａ１と同様にして、生理用ナプキンＮｏ．Ａ３を製造した。【０２２４】
［製造例Ａ４］
温感付与シートに第１温感組成物を塗工せず且つ吸収本体に第２温感組成物を塗工しなかった以外は、製造例Ａ３と同様にして、生理用ナプキンＮｏ．Ａ４を製造した。【０２２５】
［実施例Ａ１及びＡ２，並びに比較例Ａ１及びＡ２］
生理用ナプキンＮｏ．Ａ１及びＮｏ．Ａ２のそれぞれにおいて、温感付与シート重複部分の剛軟度と、吸収体重複部分（排泄口当接域の中心を中心とするサンプル）の剛軟度とを測定した。結果を、表１に示す。
なお、温感付与シート重複部分の剛軟度と、吸収体重複部分の剛軟度とのそれぞれにおいて、剛軟度を測定するサンプルは、吸収性物品の長手方向に沿って形成した。【０２２６】
１０名の女性の被験者のそれぞれに、生理用ナプキンＮｏ．Ａ１及びＮｏ．Ａ２を着用してもらい、下腹部の温感、違和感及び痒みを、以下の３段階の点数にて評価してもらった。結果を表１に示す。
［下腹部の温感］
２：下腹部に温感を覚えた。
１：下腹部に若干の温感を覚えた。
０：下腹部に温感を覚えなかった。
１０名の合計点数が、１５〜２０を○、９〜１４を○△、０〜８を×とし、結果を表１に示す。【０２２７】
［下腹部の違和感］
２：下腹部に違和感を覚えた。
１：下腹部に若干の違和感を覚えた。
０：下腹部に違和感を覚えなかった。
１０名の合計点数が、１５〜２０を○、０〜１４を×とし、結果を表１に示す。【０２２８】
［下腹部の痒み］
２：下腹部に痒みを覚えなかった。
１：下腹部に若干の痒みを覚えた。
０：下腹部に痒みを覚えた。
１０名の合計点数が、１５〜２０を○、０〜１４を×とし、結果を表１に示す。【０２２９】
【表１】
2020004669.tif 000004
【０２３０】
＜構成（ｂ）＞
［製造例Ｂ１］
製造例Ａ１と同様にして、第５実施形態に従う生理用ナプキンＮｏ．Ｂ１を製造した。【０２３１】
［製造例Ｂ２］
吸収本体に第２温感組成物を塗工しなかった以外は、製造例Ｂ１と同様にして、生理用ナプキンＮｏ．Ｂ２を製造した。
［製造例Ｂ３］
温感本体の補助シートに、第１温感組成物を、第１温感剤の坪量が０．５ｇ／ｍ2となるような量で塗工し、吸収本体に第２温感組成物を塗工しなかった以外は、製造例Ｂ１と同様にして、生理用ナプキンＮｏ．Ｂ３を製造した。
生理用ナプキンＮｏ．Ｂ１〜Ｎｏ．Ｂ３の構成を、表２にまとめる。【０２３２】
【表２】
2020004669.tif 000005
【０２３３】
［実施例Ｂ１，並びに比較例Ｂ１及びＢ２］
１０名の女性の被験者のそれぞれに、生理用ナプキンＮｏ．Ｂ１〜Ｎｏ．Ｂ３を着用してもらい、下腹部の痒み及び下腹部の温感を、以下の３段階の点数にて評価してもらった。結果を表１に示す。
［下腹部の痒み］
２：着用初期に、下腹部に痒みを覚えなかった。
１：着用初期に、下腹部に違和感を覚えた。
０：着用初期に、下腹部に痒みを覚えた。【０２３４】
［下腹部の温感］
２：下腹部に温感を覚えた。
１：下腹部に若干の温感を覚えた。
０：下腹部に温感を覚えなかった。
１０名の合計点数が、１５〜２０を○、９〜１４を△、０〜８を×とし、結果を表１に示す。
【符号の説明】
【０２３５】
１    生理用ナプキン
３    吸収本体
５    温感本体
７    液透過性シート
９    液不透過性シート
１１    吸収体
１３    温感付与シート
１５    重複部
１７    第１温感組成物
１９    第２温感組成物
２１    排泄口当接域
２３    排泄口当接域隣接領域
２５    温感付与シート重複部分
２７    吸収体重複部分
２９    温感本体中央部
３１    温感本体周縁部
Ｌ    長手方向
Ｗ    幅方向
Ｔ    厚さ方向
Ｆ1    長手方向第１折軸
Ｆ2    長手方向第２折軸
Ｆ3    幅方向第１折軸
Ｆ4    幅方向第２折軸
【図１】
2020004669.tif 000006
【図２】
2020004669.tif 000007
【図３】
2020004669.tif 000008
【図４】
2020004669.tif 000009
【図５】
2020004669.tif 000010
【図６】
2020004669.tif 000011
【図７】
2020004669.tif 000012
【図８】
2020004669.tif 000013
【国際調査報告】
2020004669.tif 000014
2020004669.tif 000015
2020004669.tif 000016
2020004669.tif 000017